(57)【要約】  免許不要帯域における上りデータの伝送効率の低下の問題を解決する上りデータ伝送方法および関連装置が開示される。本方法は次のとおりである。端末UEが、上りサブフレームのためにアクセス・ネットワーク・デバイスによって送信された信号送信指示情報を受信し、信号送信指示情報は、UEに上りサブフレームの第1のシンボルでサウンディング参照信号SRSを送信するよう命令するのに使用され、かつ／またはUEに上りサブフレームの第2のシンボル集合に含まれるシンボルでPUSCHを送信するよう命令するのに使用され、UEは、信号送信指示情報に基づいて上りサブフレームでSRSおよび／またはPUSCHを送信する。
2019506088.tif 000002
【特許請求の範囲】
【請求項１】
上り信号伝送方法であって、
端末UEが、上りサブフレームのためにアクセス・ネットワーク・デバイスによって送信された信号送信指示情報を受信するステップであって、前記信号送信指示情報が、前記UEに前記上りサブフレームの第1のシンボルでサウンディング参照信号SRSを送信するよう命令するのに使用され、かつ／または前記UEに前記上りサブフレームの第2のシンボル集合に含まれるシンボルでPUSCHを送信するよう命令するのに使用される、前記ステップと、
前記UEが、前記信号送信指示情報に基づいて前記上りサブフレームでSRSおよび／またはPUSCHを送信するステップと
を含む、上り信号伝送方法。
【請求項２】
前記第1のシンボルおよび／もしくは前記第2のシンボル集合に含まれる前記シンボルは、前記信号送信指示情報を使用して前記アクセス・ネットワーク・デバイスによって前記UEに送信され、または
前記第1のシンボルおよび／もしくは前記第2のシンボル集合に含まれる前記シンボルは、前記アクセス・ネットワーク・デバイスによって前記UEのために事前構成される、請求項1に記載の方法。
【請求項３】
前記方法は、
前記UEが、第1の構成情報を決定するステップであって、前記第1の構成情報が、第1のシンボル集合および／もしくは候補シンボル集合グループの指示情報を含む、前記ステップ、
前記UEが、前記信号送信指示情報に基づいて前記第1のシンボル集合内の前記第1のシンボルを決定するステップ、ならびに／または
前記信号送信指示情報に基づいて前記候補シンボル集合グループ内の前記第2のシンボル集合を決定するステップ
をさらに含む、請求項1に記載の方法。
【請求項４】
前記UEが、第1の構成情報を決定する前記ステップは、
前記UEが、前記アクセス・ネットワーク・デバイスによって送信された前記第1の構成情報を受信するステップ、または
前記UEが、前記信号送信指示情報に基づいて前記上りサブフレームの種類を決定し、前記上りサブフレームの前記種類と前記第1の構成情報との間の事前設定対応関係に基づいて前記上りサブフレームの前記種類に対応する前記第1の構成情報を決定するステップ
を含む、請求項3に記載の方法。
【請求項５】
前記第1のシンボルは、前記第1のシンボル集合に含まれる任意の候補シンボルであり、前記第1のシンボル集合は、
前記上りサブフレームの1番目のシンボルである第1の候補シンボル、
前記上りサブフレームの2番目のシンボルである第2の候補シンボル、
前記上りサブフレームの最後のシンボルである第3の候補シンボル、
前記上りサブフレームの最後から2番目のシンボルである第4の候補シンボル、
前記上りサブフレームの1番目のタイムスロットにおけるDMRSに対応するシンボルである第5の候補シンボル、
前記上りサブフレームの2番目のタイムスロットにおけるDMRSに対応するシンボルである第6の候補シンボル、および
前記上りサブフレームの前記1番目のタイムスロットにおける最後のシンボルである第7の候補シンボル
の各候補シンボルのうちの少なくとも1つを含む、請求項1から4のいずれか一項に記載の方法。
【請求項６】
前記第2のシンボル集合は、前記候補シンボル集合グループに含まれる任意の候補シンボル集合であり、前記候補シンボル集合グループに含まれる任意の候補シンボル集合は、K個の連続したシンボルを含み、Kは正の整数である、請求項1から5のいずれか一項に記載の方法。
【請求項７】
Kの値は、14、13、12、または11である、請求項6に記載の方法。
【請求項８】
前記候補シンボル集合グループは、
前記上りサブフレームの前記1番目のシンボルから最後から4番目のシンボルまでからなる第1の候補シンボル集合、
前記上りサブフレームの前記2番目のシンボルから最後から3番目のシンボルまでからなる第2の候補シンボル集合、
前記上りサブフレームの3番目のシンボルから前記最後から2番目のシンボルまでからなる第3の候補シンボル集合、
前記上りサブフレームの4番目のシンボルから前記最後のシンボルまでからなる第4の候補シンボル集合、
前記上りサブフレームの前記1番目のシンボルから前記最後から3番目のシンボルまでからなる第5の候補シンボル集合、
前記上りサブフレームの前記2番目のシンボルから前記最後から2番目のシンボルまでからなる第6の候補シンボル集合、
前記上りサブフレームの前記3番目のシンボルから前記最後のシンボルまでからなる第7の候補シンボル集合、
前記上りサブフレームの前記1番目のシンボルから前記最後から2番目のシンボルまでからなる第8の候補シンボル集合、
前記上りサブフレームの前記2番目のシンボルから前記最後のシンボルまでからなる第9の候補シンボル集合、および
前記上りサブフレームのすべてのシンボルからなる第10の候補シンボル集合、
の各候補シンボル集合のうちの少なくとも1つを含む、請求項6または7に記載の方法。
【請求項９】
前記第1のシンボルが前記第1の候補シンボルである場合、前記第2のシンボル集合はA個の連続したシンボルを含み、Aの値は、11、12、もしくは13のうちのいずれか1つであり、かつ／または
前記第1のシンボルが前記第2の候補シンボルである場合、前記第2のシンボル集合はB個の連続したシンボルを含み、Bの値は、11もしくは12のどちらかであり、かつ／または
前記第1のシンボルが前記第3の候補シンボルである場合、前記第2のシンボル集合はC個の連続したシンボルを含み、Cの値は、11、12、もしくは13のうちのいずれか1つであり、かつ／または
前記第1のシンボルが前記第4の候補シンボルである場合、前記第2のシンボル集合はD個の連続したシンボルを含み、Dの値は、11もしくは12のどちらかであり、
前記第1の候補シンボルは、前記上りサブフレームの前記1番目のシンボルであり、
前記第2の候補シンボルは、前記上りサブフレームの前記2番目のシンボルであり、
前記第3の候補シンボルは、前記上りサブフレームの前記最後のシンボルであり、
前記第4のシンボルは、前記上りサブフレームの前記最後から2番目のシンボルである、請求項1から8のいずれか一項に記載の方法。
【請求項１０】
前記第1のシンボルが前記第1の候補シンボルである場合、前記第2のシンボル集合は、前記第3の候補シンボル集合、前記第6の候補シンボル集合、前記第7の候補シンボル集合、および前記第9の候補シンボル集合のうちのいずれか1つであり、かつ／または
前記第1のシンボルが前記第2の候補シンボルである場合、前記第2のシンボル集合は、前記第7の候補シンボル集合および前記第4の候補シンボル集合のどちらかであり、かつ／または
前記第1のシンボルが前記第3の候補シンボルである場合、前記第2のシンボル集合は、前記第2の候補シンボル集合、前記第5の候補シンボル集合、前記第6の候補シンボル集合、および前記第8の候補シンボル集合のうちの1つであり、かつ／または
前記第1のシンボルが前記第4の候補シンボルである場合、前記第2のシンボル集合は、前記第1の候補シンボル集合および前記第5の候補シンボル集合のどちらかであり、
前記第1の候補シンボルは、前記上りサブフレームの前記1番目のシンボルであり、
前記第2の候補シンボルは、前記上りサブフレームの前記2番目のシンボルであり、
前記第3の候補シンボルは、前記上りサブフレームの前記最後のシンボルであり、
前記第4の候補シンボルは、前記上りサブフレームの前記最後から2番目のシンボルであり、
前記第1の候補シンボル集合は、前記上りサブフレームの前記1番目のシンボルから前記最後から4番目のシンボルまでからなり、
前記第2の候補シンボル集合は、前記上りサブフレームの前記2番目のシンボルから前記最後から3番目のシンボルまでからなり、
前記第3の候補シンボル集合は、前記上りサブフレームの前記3番目のシンボルから前記最後から2番目のシンボルまでからなり、
前記第4の候補シンボル集合は、前記上りサブフレームの前記4番目のシンボルから前記最後のシンボルまでからなり、
前記第5の候補シンボル集合は、前記上りサブフレームの前記1番目のシンボルから前記最後から3番目のシンボルまでからなり、
前記第6の候補シンボル集合は、前記上りサブフレームの前記2番目のシンボルから前記最後から2番目のシンボルまでからなり、
前記第7の候補シンボル集合は、前記上りサブフレームの前記3番目のシンボルから前記最後のシンボルまでからなり、
前記第8の候補シンボル集合は、前記上りサブフレームの前記1番目のシンボルから前記最後から2番目のシンボルまでからなり、
前記第9の候補シンボル集合は、前記上りサブフレームの前記2番目のシンボルから前記最後のシンボルまでからなる、請求項1から9のいずれか一項に記載の方法。
【請求項１１】
上り信号伝送方法であって、
アクセス・ネットワーク・デバイスが、上りサブフレームの信号送信指示情報を送信するステップであって、前記信号送信指示情報が、端末UEに前記上りサブフレームの第1のシンボルでサウンディング参照信号SRSを送信するよう命令するのに使用され、かつ／または前記端末UEに前記上りサブフレームの第2のシンボル集合に含まれるシンボルでPUSCHを送信するよう命令するのに使用される、前記ステップと、
前記アクセス・ネットワーク・デバイスが、前記信号送信指示情報に基づいて前記上りサブフレームで前記UEによって送信されたSRSおよび／またはPUSCHを受信するステップと
を含む、上り信号伝送方法。
【請求項１２】
前記方法は、
前記信号送信指示情報を使用して前記アクセス・ネットワーク・デバイスが、前記UEに、前記第1のシンボルおよび／もしくは前記第2のシンボル集合に含まれる前記シンボルを通知するステップ、または
前記アクセス・ネットワーク・デバイスが、前記UEのために前記第1のシンボルおよび／もしくは前記第2のシンボル集合に含まれる前記シンボルを事前構成するステップ
をさらに含む、請求項11に記載の方法。
【請求項１３】
前記方法は、
前記アクセス・ネットワーク・デバイスが、前記UEに第1の構成情報を送信するステップであって、前記第1の構成情報が、第1のシンボル集合および／もしくは候補シンボル集合グループの指示情報を含み、前記第1のシンボル集合が、前記第1のシンボルの少なくとも1つの候補シンボルを含み、前記候補シンボル集合グループが、前記第2のシンボル集合の少なくとも1つの候補シンボル集合を含む、前記ステップ
をさらに含む、請求項11に記載の方法。
【請求項１４】
前記第1のシンボルは、前記第1のシンボル集合に含まれる任意の候補シンボルであり、前記第1のシンボル集合は、
前記上りサブフレームの1番目のシンボルである第1の候補シンボル、
前記上りサブフレームの2番目のシンボルである第2の候補シンボル、
前記上りサブフレームの最後のシンボルである第3の候補シンボル、
前記上りサブフレームの最後から2番目のシンボルである第4の候補シンボル、
前記上りサブフレームの1番目のタイムスロットにおけるDMRSに対応するシンボルである第5の候補シンボル、
前記上りサブフレームの2番目のタイムスロットにおけるDMRSに対応するシンボルである第6の候補シンボル、および
前記上りサブフレームの前記1番目のタイムスロットにおける最後のシンボルである第7の候補シンボル
の各候補シンボルのうちの少なくとも1つを含む、請求項11から13のいずれか一項に記載の方法。
【請求項１５】
前記第2のシンボル集合は、前記候補シンボル集合グループに含まれる任意の候補シンボル集合であり、前記候補シンボル集合グループに含まれる任意の候補シンボル集合は、K個の連続したシンボルを含み、Kは正の整数である、請求項11から14のいずれか一項に記載の方法。
【請求項１６】
Kの値は、14、13、12、または11である、請求項15に記載の方法。
【請求項１７】
前記候補シンボル集合グループは、
前記上りサブフレームの前記1番目のシンボルから最後から4番目のシンボルまでからなる第1の候補シンボル集合、
前記上りサブフレームの前記2番目のシンボルから最後から3番目のシンボルまでからなる第2の候補シンボル集合、
前記上りサブフレームの3番目のシンボルから前記最後から2番目のシンボルまでからなる第3の候補シンボル集合、
前記上りサブフレームの4番目のシンボルから前記最後のシンボルまでからなる第4の候補シンボル集合、
前記上りサブフレームの前記1番目のシンボルから前記最後から3番目のシンボルまでからなる第5の候補シンボル集合、
前記上りサブフレームの前記2番目のシンボルから前記最後から2番目のシンボルまでからなる第6の候補シンボル集合、
前記上りサブフレームの前記3番目のシンボルから前記最後のシンボルまでからなる第7の候補シンボル集合、
前記上りサブフレームの前記1番目のシンボルから前記最後から2番目のシンボルまでからなる第8の候補シンボル集合、
前記上りサブフレームの前記2番目のシンボルから前記最後のシンボルまでからなる第9の候補シンボル集合、および
前記上りサブフレームのすべてのシンボルからなる第10の候補シンボル集合、
の各候補シンボル集合のうちの少なくとも1つを含む、請求項15または16に記載の方法。
【請求項１８】
前記第1のシンボルが前記第1の候補シンボルである場合、前記第2のシンボル集合はA個の連続したシンボルを含み、Aの値は、11、12、もしくは13のうちのいずれか1つであり、かつ／または
前記第1のシンボルが前記第2の候補シンボルである場合、前記第2のシンボル集合はB個の連続したシンボルを含み、Bの値は、11もしくは12のどちらかであり、かつ／または
前記第1のシンボルが前記第3の候補シンボルである場合、前記第2のシンボル集合はC個の連続したシンボルを含み、Cの値は、11、12、もしくは13のうちのいずれか1つであり、かつ／または
前記第1のシンボルが前記第4の候補シンボルである場合、前記第2のシンボル集合はD個の連続したシンボルを含み、Dの値は、11もしくは12のどちらかであり、
前記第1の候補シンボルは、前記上りサブフレームの前記1番目のシンボルであり、
前記第2の候補シンボルは、前記上りサブフレームの前記2番目のシンボルであり、
前記第3の候補シンボルは、前記上りサブフレームの前記最後のシンボルであり、
前記第4の候補シンボルは、前記上りサブフレームの前記最後から2番目のシンボルである、請求項11から17のいずれか一項に記載の方法。
【請求項１９】
前記第1のシンボルが前記第1の候補シンボルである場合、前記第2のシンボル集合は、前記第3の候補シンボル集合、前記第6の候補シンボル集合、前記第7の候補シンボル集合、および前記第9の候補シンボル集合のうちのいずれか1つであり、かつ／または
前記第1のシンボルが前記第2の候補シンボルである場合、前記第2のシンボル集合は、前記第7の候補シンボル集合および前記第4の候補シンボル集合のどちらかであり、かつ／または
前記第1のシンボルが前記第3の候補シンボルである場合、前記第2のシンボル集合は、前記第2の候補シンボル集合、前記第5の候補シンボル集合、前記第6の候補シンボル集合、および前記第8の候補シンボル集合のうちの1つであり、かつ／または
前記第1のシンボルが前記第4の候補シンボルである場合、前記第2のシンボル集合は、前記第1の候補シンボル集合および前記第5の候補シンボル集合のどちらかであり、
前記第1の候補シンボルは、前記上りサブフレームの前記1番目のシンボルであり、
前記第2の候補シンボルは、前記上りサブフレームの前記2番目のシンボルであり、
前記第3の候補シンボルは、前記上りサブフレームの前記最後のシンボルであり、
前記第4の候補シンボルは、前記上りサブフレームの前記最後から2番目のシンボルであり、
前記第1の候補シンボル集合は、前記上りサブフレームの前記1番目のシンボルから前記最後から4番目のシンボルまでからなり、
前記第2の候補シンボル集合は、前記上りサブフレームの前記2番目のシンボルから前記最後から3番目のシンボルまでからなり、
前記第3の候補シンボル集合は、前記上りサブフレームの前記3番目のシンボルから前記最後から2番目のシンボルまでからなり、
前記第4の候補シンボル集合は、前記上りサブフレームの前記4番目のシンボルから前記最後のシンボルまでからなり、
前記第5の候補シンボル集合は、前記上りサブフレームの前記1番目のシンボルから前記最後から3番目のシンボルまでからなり、
前記第6の候補シンボル集合は、前記上りサブフレームの前記2番目のシンボルから前記最後から2番目のシンボルまでからなり、
前記第7の候補シンボル集合は、前記上りサブフレームの前記3番目のシンボルから前記最後のシンボルまでからなり、
前記第8の候補シンボル集合は、前記上りサブフレームの前記1番目のシンボルから前記最後から2番目のシンボルまでからなり、
前記第9の候補シンボル集合は、前記上りサブフレームの前記2番目のシンボルから前記最後のシンボルまでからなる、請求項11から18のいずれか一項に記載の方法。
【請求項２０】
端末であって、
上りサブフレームのためにアクセス・ネットワーク・デバイスによって送信された信号送信指示情報を受信するように構成された受信モジュールであって、前記信号送信指示情報が、前記端末UEに前記上りサブフレームの第1のシンボルでサウンディング参照信号SRSを送信するよう命令するのに使用され、かつ／または前記UEに前記上りサブフレームの第2のシンボル集合に含まれるシンボルでPUSCHを送信するよう命令するのに使用される、受信モジュールと、
前記信号送信指示情報に基づいて前記上りサブフレームでSRSおよび／またはPUSCHを送信するように構成された、送信モジュールと
を含む、端末。
【請求項２１】
前記第1のシンボルおよび／もしくは前記第2のシンボル集合に含まれる前記シンボルは、前記信号送信指示情報を使用して前記アクセス・ネットワーク・デバイスによって前記UEに送信され、または
前記第1のシンボルおよび／もしくは前記第2のシンボル集合に含まれる前記シンボルは、前記アクセス・ネットワーク・デバイスによって前記UEのために事前構成される、請求項20に記載の端末。
【請求項２２】
第1の構成情報を決定し、前記第1の構成情報が、第1のシンボル集合および／もしくは候補シンボル集合グループの指示情報を含み、
前記信号送信指示情報に基づいて前記第1のシンボル集合内の前記第1のシンボルを決定し、かつ／または
前記信号送信指示情報に基づいて前記候補シンボル集合グループ内の前記第2のシンボル集合を決定する
ように構成される、処理モジュールをさらに含む、請求項20に記載の端末。
【請求項２３】
前記受信モジュールは、前記アクセス・ネットワーク・デバイスによって送信された前記第1の構成情報を受信するようにさらに構成され、または
前記処理モジュールは、前記信号送信指示情報に基づいて前記上りサブフレームの種類を決定し、前記上りサブフレームの前記種類と前記第1の構成情報との間の事前設定対応関係に基づいて前記上りサブフレームの前記種類に対応する前記第1の構成情報を決定する、ようにさらに構成される、請求項22に記載の端末。
【請求項２４】
前記第1のシンボルは、前記第1のシンボル集合に含まれる任意の候補シンボルであり、前記第1のシンボル集合は、
前記上りサブフレームの1番目のシンボルである第1の候補シンボル、
前記上りサブフレームの2番目のシンボルである第2の候補シンボル、
前記上りサブフレームの最後のシンボルである第3の候補シンボル、
前記上りサブフレームの最後から2番目のシンボルである第4の候補シンボル、
前記上りサブフレームの1番目のタイムスロットにおけるDMRSに対応するシンボルである第5の候補シンボル、
前記上りサブフレームの2番目のタイムスロットにおけるDMRSに対応するシンボルである第6の候補シンボル、および
前記上りサブフレームの前記1番目のタイムスロットにおける最後のシンボルである第7の候補シンボル
の各候補シンボルのうちの少なくとも1つを含む、請求項20から23のいずれか一項に記載の端末。
【請求項２５】
前記第2のシンボル集合は、前記候補シンボル集合グループに含まれる任意の候補シンボル集合であり、前記候補シンボル集合グループに含まれる任意の候補シンボル集合は、K個の連続したシンボルを含み、Kは正の整数である、請求項20から24のいずれか一項に記載の端末。
【請求項２６】
Kの値は、14、13、12、または11である、請求項25に記載の端末。
【請求項２７】
前記候補シンボル集合グループは、
前記上りサブフレームの前記1番目のシンボルから最後から4番目のシンボルまでからなる第1の候補シンボル集合、
前記上りサブフレームの前記2番目のシンボルから最後から3番目のシンボルまでからなる第2の候補シンボル集合、
前記上りサブフレームの3番目のシンボルから前記最後から2番目のシンボルまでからなる第3の候補シンボル集合、
前記上りサブフレームの4番目のシンボルから前記最後のシンボルまでからなる第4の候補シンボル集合、
前記上りサブフレームの前記1番目のシンボルから前記最後から3番目のシンボルまでからなる第5の候補シンボル集合、
前記上りサブフレームの前記2番目のシンボルから前記最後から2番目のシンボルまでからなる第6の候補シンボル集合、
前記上りサブフレームの前記3番目のシンボルから前記最後のシンボルまでからなる第7の候補シンボル集合、
前記上りサブフレームの前記1番目のシンボルから前記最後から2番目のシンボルまでからなる第8の候補シンボル集合、
前記上りサブフレームの前記2番目のシンボルから前記最後のシンボルまでからなる第9の候補シンボル集合、および
前記上りサブフレームのすべてのシンボルからなる第10の候補シンボル集合、
の各候補シンボル集合のうちの少なくとも1つを含む、請求項25または26に記載の端末。
【請求項２８】
前記第1のシンボルが前記第1の候補シンボルである場合、前記第2のシンボル集合はA個の連続したシンボルを含み、Aの値は、11、12、もしくは13のうちのいずれか1つであり、かつ／または
前記第1のシンボルが前記第2の候補シンボルである場合、前記第2のシンボル集合はB個の連続したシンボルを含み、Bの値は、11もしくは12のどちらかであり、かつ／または
前記第1のシンボルが前記第3の候補シンボルである場合、前記第2のシンボル集合はC個の連続したシンボルを含み、Cの値は、11、12、もしくは13のうちのいずれか1つであり、かつ／または
前記第1のシンボルが前記第4の候補シンボルである場合、前記第2のシンボル集合はD個の連続したシンボルを含み、Dの値は、11もしくは12のどちらかであり、
前記第1の候補シンボルは、前記上りサブフレームの前記1番目のシンボルであり、
前記第2の候補シンボルは、前記上りサブフレームの前記2番目のシンボルであり、
前記第3の候補シンボルは、前記上りサブフレームの前記最後のシンボルであり、
前記第4の候補シンボルは、前記上りサブフレームの前記最後から2番目のシンボルである、請求項20から27いずれか一項に記載の端末。
【請求項２９】
前記第1のシンボルが前記第1の候補シンボルである場合、前記第2のシンボル集合は、前記第3の候補シンボル集合、前記第6の候補シンボル集合、前記第7の候補シンボル集合、および前記第9の候補シンボル集合のうちのいずれか1つであり、かつ／または
前記第1のシンボルが前記第2の候補シンボルである場合、前記第2のシンボル集合は、前記第7の候補シンボル集合および前記第4の候補シンボル集合のどちらかであり、かつ／または
前記第1のシンボルが前記第3の候補シンボルである場合、前記第2のシンボル集合は、前記第2の候補シンボル集合、前記第5の候補シンボル集合、前記第6の候補シンボル集合、および前記第8の候補シンボル集合のうちの1つであり、かつ／または
前記第1のシンボルが前記第4の候補シンボルである場合、前記第2のシンボル集合は、前記第1の候補シンボル集合および前記第5の候補シンボル集合のどちらかであり、
前記第1の候補シンボルは、前記上りサブフレームの前記1番目のシンボルであり、
前記第2の候補シンボルは、前記上りサブフレームの前記2番目のシンボルであり、
前記第3の候補シンボルは、前記上りサブフレームの前記最後のシンボルであり、
前記第4の候補シンボルは、前記上りサブフレームの前記最後から2番目のシンボルであり、
前記第1の候補シンボル集合は、前記上りサブフレームの前記1番目のシンボルから前記最後から4番目のシンボルまでからなり、
前記第2の候補シンボル集合は、前記上りサブフレームの前記2番目のシンボルから前記最後から3番目のシンボルまでからなり、
前記第3の候補シンボル集合は、前記上りサブフレームの前記3番目のシンボルから前記最後から2番目のシンボルまでからなり、
前記第4の候補シンボル集合は、前記上りサブフレームの前記4番目のシンボルから前記最後のシンボルまでからなり、
前記第5の候補シンボル集合は、前記上りサブフレームの前記1番目のシンボルから前記最後から3番目のシンボルまでからなり、
前記第6の候補シンボル集合は、前記上りサブフレームの前記2番目のシンボルから前記最後から2番目のシンボルまでからなり、
前記第7の候補シンボル集合は、前記上りサブフレームの前記3番目のシンボルから前記最後のシンボルまでからなり、
前記第8の候補シンボル集合は、前記上りサブフレームの前記1番目のシンボルから前記最後から2番目のシンボルまでからなり、
前記第9の候補シンボル集合は、前記上りサブフレームの前記2番目のシンボルから前記最後のシンボルまでからなる、請求項20から28いずれか一項に記載の端末。
【請求項３０】
アクセス・ネットワーク・デバイスであって、
上りサブフレームの信号送信指示情報を送信するように構成された送信モジュールであって、前記信号送信指示情報が、端末UEに前記上りサブフレームの第1のシンボルでサウンディング参照信号SRSを送信するよう命令するのに使用され、かつ／または前記端末UEに前記上りサブフレームの第2のシンボル集合に含まれるシンボルでPUSCHを送信するよう命令するのに使用される、送信モジュールと、
前記信号送信指示情報に基づいて前記上りサブフレームで前記UEによって送信されたSRSおよび／またはPUSCHを受信するように構成された、受信モジュールと
を含む、アクセス・ネットワーク・デバイス。
【請求項３１】
前記信号送信指示情報を使用して、前記UEに、前記第1のシンボルおよび／もしくは前記第2のシンボル集合に含まれる前記シンボルを通知し、または
前記UEのために前記第1のシンボルおよび／もしくは前記第2のシンボル集合に含まれる前記シンボルを事前構成する
ように特に構成される、処理モジュールをさらに含む、請求項30に記載のアクセス・ネットワーク・デバイス。
【請求項３２】
前記送信モジュールは、
前記UEに第1の構成情報を送信し、前記第1の構成情報が、第1のシンボル集合および／もしくは候補シンボル集合グループの指示情報を含み、前記第1のシンボル集合が、前記第1のシンボルの少なくとも1つの候補シンボルを含み、前記候補シンボル集合グループが、前記第2のシンボル集合の少なくとも1つの候補シンボル集合を含む、
ようにさらに構成される、請求項30に記載のアクセス・ネットワーク・デバイス。
【請求項３３】
前記第1のシンボルは、前記第1のシンボル集合に含まれる任意の候補シンボルであり、前記第1のシンボル集合は、
前記上りサブフレームの1番目のシンボルである第1の候補シンボル、
前記上りサブフレームの2番目のシンボルである第2の候補シンボル、
前記上りサブフレームの最後のシンボルである第3の候補シンボル、
前記上りサブフレームの最後から2番目のシンボルである第4の候補シンボル、
前記上りサブフレームの1番目のタイムスロットにおけるDMRSに対応するシンボルである第5の候補シンボル、
前記上りサブフレームの2番目のタイムスロットにおけるDMRSに対応するシンボルである第6の候補シンボル、および
前記上りサブフレームの前記1番目のタイムスロットにおける最後のシンボルである第7の候補シンボル
の各候補シンボルのうちの少なくとも1つを含む、請求項30から32のいずれか一項に記載のアクセス・ネットワーク・デバイス。
【請求項３４】
前記第2のシンボル集合は、前記候補シンボル集合グループに含まれる任意の候補シンボル集合であり、前記候補シンボル集合グループに含まれる任意の候補シンボル集合は、K個の連続したシンボルを含み、Kは正の整数である、請求項30から33のいずれか一項に記載のアクセス・ネットワーク・デバイス。
【請求項３５】
Kの値は、14、13、12、または11である、請求項34に記載のアクセス・ネットワーク・デバイス。
【請求項３６】
前記候補シンボル集合グループは、
前記上りサブフレームの前記1番目のシンボルから最後から4番目のシンボルまでからなる第1の候補シンボル集合、
前記上りサブフレームの前記2番目のシンボルから最後から3番目のシンボルまでからなる第2の候補シンボル集合、
前記上りサブフレームの3番目のシンボルから前記最後から2番目のシンボルまでからなる第3の候補シンボル集合、
前記上りサブフレームの4番目のシンボルから前記最後のシンボルまでからなる第4の候補シンボル集合、
前記上りサブフレームの前記1番目のシンボルから前記最後から3番目のシンボルまでからなる第5の候補シンボル集合、
前記上りサブフレームの前記2番目のシンボルから前記最後から2番目のシンボルまでからなる第6の候補シンボル集合、
前記上りサブフレームの前記3番目のシンボルから前記最後のシンボルまでからなる第7の候補シンボル集合、
前記上りサブフレームの前記1番目のシンボルから前記最後から2番目のシンボルまでからなる第8の候補シンボル集合、
前記上りサブフレームの前記2番目のシンボルから前記最後のシンボルまでからなる第9の候補シンボル集合、および
前記上りサブフレームのすべてのシンボルからなる第10の候補シンボル集合、
の各候補シンボル集合のうちの少なくとも1つを含む、請求項34または35に記載のアクセス・ネットワーク・デバイス。
【請求項３７】
前記第1のシンボルが前記第1の候補シンボルである場合、前記第2のシンボル集合はA個の連続したシンボルを含み、Aの値は、11、12、もしくは13のうちのいずれか1つであり、かつ／または
前記第1のシンボルが前記第2の候補シンボルである場合、前記第2のシンボル集合はB個の連続したシンボルを含み、Bの値は、11もしくは12のどちらかであり、かつ／または
前記第1のシンボルが前記第3の候補シンボルである場合、前記第2のシンボル集合はC個の連続したシンボルを含み、Cの値は、11、12、もしくは13のうちのいずれか1つであり、かつ／または
前記第1のシンボルが前記第4の候補シンボルである場合、前記第2のシンボル集合はD個の連続したシンボルを含み、Dの値は、11もしくは12のどちらかであり、
前記第1の候補シンボルは、前記上りサブフレームの前記1番目のシンボルであり、
前記第2の候補シンボルは、前記上りサブフレームの前記2番目のシンボルであり、
前記第3の候補シンボルは、前記上りサブフレームの前記最後のシンボルであり、
前記第4の候補シンボルは、前記上りサブフレームの前記最後から2番目のシンボルである、請求項30から36のいずれか一項に記載のアクセス・ネットワーク・デバイス。
【請求項３８】
前記第1のシンボルが前記第1の候補シンボルである場合、前記第2のシンボル集合は、前記第3の候補シンボル集合、前記第6の候補シンボル集合、前記第7の候補シンボル集合、および前記第9の候補シンボル集合のうちのいずれか1つであり、かつ／または
前記第1のシンボルが前記第2の候補シンボルである場合、前記第2のシンボル集合は、前記第7の候補シンボル集合および前記第4の候補シンボル集合のどちらかであり、かつ／または
前記第1のシンボルが前記第3の候補シンボルである場合、前記第2のシンボル集合は、前記第2の候補シンボル集合、前記第5の候補シンボル集合、前記第6の候補シンボル集合、および前記第8の候補シンボル集合のうちの1つであり、かつ／または
前記第1のシンボルが前記第4の候補シンボルである場合、前記第2のシンボル集合は、前記第1の候補シンボル集合および前記第5の候補シンボル集合のどちらかであり、
前記第1の候補シンボルは、前記上りサブフレームの前記1番目のシンボルであり、
前記第2の候補シンボルは、前記上りサブフレームの前記2番目のシンボルであり、
前記第3の候補シンボルは、前記上りサブフレームの前記最後のシンボルであり、
前記第4の候補シンボルは、前記上りサブフレームの前記最後から2番目のシンボルであり、
前記第1の候補シンボル集合は、前記上りサブフレームの前記1番目のシンボルから前記最後から4番目のシンボルまでからなり、
前記第2の候補シンボル集合は、前記上りサブフレームの前記2番目のシンボルから前記最後から3番目のシンボルまでからなり、
前記第3の候補シンボル集合は、前記上りサブフレームの前記3番目のシンボルから前記最後から2番目のシンボルまでからなり、
前記第4の候補シンボル集合は、前記上りサブフレームの前記4番目のシンボルから前記最後のシンボルまでからなり、
前記第5の候補シンボル集合は、前記上りサブフレームの前記1番目のシンボルから前記最後から3番目のシンボルまでからなり、
前記第6の候補シンボル集合は、前記上りサブフレームの前記2番目のシンボルから前記最後から2番目のシンボルまでからなり、
前記第7の候補シンボル集合は、前記上りサブフレームの前記3番目のシンボルから前記最後のシンボルまでからなり、
前記第8の候補シンボル集合は、前記上りサブフレームの前記1番目のシンボルから前記最後から2番目のシンボルまでからなり、
前記第9の候補シンボル集合は、前記上りサブフレームの前記2番目のシンボルから前記最後のシンボルまでからなる、請求項30から37のいずれか一項に記載のアクセス・ネットワーク・デバイス。
【発明の詳細な説明】
【技術分野】
【０００１】
本発明は、コンピュータ技術の分野に関し、詳細には、上りデータ伝送方法および関連装置に関する。
【背景技術】
【０００２】
ロング・ターム・エボリューション（Long Term Evolution、LTE）システムでは、上りリンクサービスの伝送は、基地局によるスケジューリングに基づくものである。スケジューリングの基本時間単位はサブフレームである。サブフレームは、複数の時間領域シンボルを含む。具体的なスケジューリング手順は次のとおりである。基地局が、制御チャネル、例えば、物理下り制御チャネル（Physical Downlink Control Channel、PDCCH）やエンハンスト物理下り制御チャネル（Enhanced PDCCH、EPDCCH）を送信する。制御チャネルは、物理上り共有チャネル（Physical Uplink Shared Channel、PUSCH）のスケジューリング情報を搬送しうる。スケジューリング情報は、リソース割り振り情報や調整および符号化方式などの制御情報を含む。端末（User Equipment、UE）は、サブフレームにおいて制御チャネルを検出し、検出された制御チャネルで搬送されたスケジューリング情報に基づいて、下りデータチャネルを受信し、または上りデータチャネルを送信する。
【０００３】
進化型LTEシステム（LTE−A）では、キャリアアグリゲーション（CA）技術が導入されている。すなわち、より高いピークレートを達成し、より高いサービス要求を満たすように、複数のコンポーネントキャリア（Component Carrier、CC）のリソースが1台のUEが使用するために同時に割り振られうる。さらに、無線通信システムおよび通信事業者は、免許不要（Unlicensed）帯域の使用を制限されないため、LTEデバイスが免許不要帯域に適用されれば、免許不要帯域のリソースを有効に使用できるだけでなく、より有効な無線アクセスを提供することもでき、ますます増大するモバイル・ブロードバンド・サービスの要件を満たすこともできる。LTEシステムが免許不要帯域を使用するための実現可能な解決法の1つは、免許不要帯域がLTE基地局のセカンダリセル（SCell）周波数リソースとして使用されることである。加えて、免許帯域のセルは、プライマリセル（PCell）として使用される。
【０００４】
免許不要周波数リソースにおいて、様々な通信システムの複数の事業者が同じ周波数帯域を占有しようとする場合がある。複数の通信システムが免許不要周波数リソースを占有しているときに互いに影響を受けない共存機能を実現するために、無線通信デバイスは、通信のために免許不要帯域を占有するときにリッスン・ビフォア・トーク（Listen Before Talk、LBT）規則を使用する必要がある。すなわち、チャネルを使用する前に、装置はまずチャネルがアイドル状態であるかどうかをリッスンし、チャネルがアイドル状態であれば、デバイスは免許不要帯域のチャネルを使用してよい。デバイスは、検出されたチャネルがアイドル状態であるかどうか判断するために、エネルギー検出によるクリアチャネル評価（Clear Channel Assessment、CCA）を行いうる。
【０００５】
LTEシステムでは、基地局は、異なる周波数帯域の上りチャネル品質を推定するために、サウンディング参照信号（Sounding Reference Signal、SRS）を使用する。基地局側のスケジューラは、上りチャネル状態推定値に基づいて、所望の瞬時のチャネル状態を有するリソースブロック（Resource Block、RB）を伝送のためにUEの上りPUSCHに割り振り、伝送パラメータ（例えば、瞬時のデータレート）を選択し、上り周波数を選択的にスケジュールするために上りマルチアンテナ伝送に関連した異なるパラメータを選択しうる。SRSは、上りタイミング（timing）を推定するためにさらに使用されてよく、下りチャネルと上りチャネルとが互いに利益を得ると仮定して、特にTDDにおいて、チャネル対称性を使用して下りチャネル品質が推定される。LTEでは、周期SRS（periodic SRS）と非周期SRSの2種類のSRS伝送が定義されている。周期SRSはトリガタイプ0に対応し、非周期SRSはトリガタイプ1に対応する。セルにおいてシステムフレーム（10ms）内にある、SRSを送信するのに使用されうるサブフレーム番号の集合は、
【０００６】
【数１】
2019506088.tif 000003
【０００７】
を満たす必要がある。ΔSFCは、システムフレーム内の開始サブフレームの位置に対する、システムフレーム（10ms）でSRSを送信するのに使用されるサブフレームのオフセット値である。
【０００８】
【数２】
2019506088.tif 000004
【０００９】
はサブフレーム番号であり、nsはタイムスロット番号であり、TSFCはユーザ機器がSRSを送信する期間である。TSFCおよびΔSFCの値は、ユーザ機器のためにアクセス・ネットワーク・デバイスによって構成され、SRSを送信するのに使用されるサブフレーム構成パラメータ「srs−SubframeConfig」で搬送される情報である。周期SRSおよび非周期SRSは、独立した構成パラメータ「srs−SubframeConfig」を各々有する。
【００１０】
既存の技術的解決策では、SRSがサブフレームで送信される場合、SRSはサブフレームの最後のシンボルを占有する。最後のシングルキャリア周波数分割多元接続（Single−carrier Frequency−Division Multiple Access、SC−FDMA）シンボルがSRSに割り振られる場合、そのシンボルはPUSCH伝送で使用することができない。異なるUEのSRS伝送とPUSCH伝送との間の競合を回避するために、すべてのUEは、SRSが送信されるサブフレームの最後のSC−FDMAシンボルでのPUSCHの送信を回避すべきである。あるセル内のすべてのUEが、UEがどのサブフレームセットでSRSを送信してよいかを知る必要がある。したがって、SRSサブフレームはセルレベルで構成される。このようにして、すべてのUEは、各サブフレームの最後のSC−FDMAシンボルでのPUSCHの送信を回避することができる。
【００１１】
既存の技術的解決策によれば、SRSがセルレベルパラメータを使用して構成された第1の上りサブフレームで送信される場合、第1の上りサブフレームで第1のUEによって送信されるPUSCHは最後のシンボルを占有せず、PUSCHと別のUEによって送信されるSRSとの間の干渉を回避する。しかし、免許不要帯域の搬送波上では、UEが信号を送信するためにチャネルを占有できるかどうかは日和見的である。基地局は、少なくとも1台のUEを、第1の上りサブフレームでSRSを送信するように構成するが、UEは、リッスンした結果に基づいて、SRSを送信するために構成されたシンボルでSRSを実際に送信することができない場合、第1のUEは、第1の上りサブフレームの最後のシンボルを占有しない。その結果として、最後のシンボルが開始すると、第1のUEは、免許不要帯域での搬送波の占有を停止することになる。第1のUEが第1の上りサブフレームの次のサブフレームでPUSCHを送信するようにスケジュールされている場合、第1のUEは、チャネルのビジー／アイドル状態を再検出する必要があり、チャネルにアクセスしようと努める。免許不要帯域には複数の事業者によって配置されたLTEシステムまたは他の無線通信システムがあるので、第1のUEは、チャネルのビジー／アイドル状態を再検出するが、チャネルアクセス機会を再取得できず、免許不要帯域における上りデータの伝送効率の低下が引き起こされる可能性もある。
【００１２】
例えば、図1に示すように、図1は、UEが免許不要周波数リソースでPDSCHを送信するようにスケジュールされていることを示す概略図である。UE1が、サブフレームn、サブフレームn＋1、およびサブフレームn＋2でPUSCHを送信するようにスケジュールされ、サブフレームn＋1が、SRSを送信するためのサブフレームとして構成される場合、構成に基づき、UE2は、サブフレームn＋1の最後のシンボルでSRSを送信する。サブフレームnの前にクリアチャネル評価（CCA）を行った後、UE1は、チャネルにアクセスできると判断し、サブフレームnからPUSCHの送信を開始する。しかし、UE2によって送信されたSRSとの干渉を回避するために、UE1は、サブフレームn＋1の最後のシンボルでのPUSCHの送信を停止しなければならない。その結果として、UE1は、サブフレームn＋2でチャネルのビジー／アイドル状態を再検出してチャネルにアクセスし、UE1は、チャネルがアイドル状態であることを検出した後にようやく、サブフレームn＋3でデータを送信することができることになる。
【発明の概要】
【課題を解決するための手段】
【００１３】
本発明の実施形態は、免許不要帯域における上りデータの伝送効率の低下の問題を解決する、上りデータ伝送方法および関連装置を提供する。
【００１４】
本発明の実施形態で提供される具体的な技術的解決策は以下のとおりである。
【００１５】
第1の態様によれば、本発明の一実施形態は上り信号伝送方法を提供し、本方法は、
端末UEが、上りサブフレームのためにアクセス・ネットワーク・デバイスによって送信された信号送信指示情報を受信するステップであって、信号送信指示情報が、UEに上りサブフレームの第1のシンボルでサウンディング参照信号SRSを送信するよう命令するのに使用され、かつ／またはUEに上りサブフレームの第2のシンボル集合に含まれるシンボルでPUSCHを送信するよう命令するのに使用される、ステップと、
UEが、信号送信指示情報に基づいて上りサブフレームでSRSおよび／またはPUSCHを送信するステップと
を含む。
【００１６】
すべての可能な実施態様において、第1のシンボルおよび／もしくは第2のシンボル集合に含まれるシンボルは、信号送信指示情報を使用してアクセス・ネットワーク・デバイスによってUEに送信され、または
第1のシンボルおよび／もしくは第2のシンボル集合に含まれるシンボルは、アクセス・ネットワーク・デバイスによってUEのために事前構成される。
【００１７】
すべての可能な実施態様において、本方法は、
UEが、第1の構成情報を決定するステップであって、第1の構成情報が、第1のシンボル集合および／もしくは候補シンボル集合グループの指示情報を含む、ステップ、
UEが、信号送信指示情報に基づいて第1のシンボル集合内の第1のシンボルを決定するステップ、ならびに／または
信号送信指示情報に基づいて候補シンボル集合グループ内の第2のシンボル集合を決定するステップ
をさらに含む。
【００１８】
すべての可能な実施態様において、UEが、第1の構成情報を決定するステップは、
UEが、アクセス・ネットワーク・デバイスによって送信された第1の構成情報を受信するステップ、または
UEが、信号送信指示情報に基づいて上りサブフレームの種類を決定し、上りサブフレームの種類と第1の構成情報との間の事前設定対応関係に基づいて上りサブフレームの種類に対応する第1の構成情報を決定するステップ
を含む。
【００１９】
すべての可能な実施態様において、第1のシンボルは、第1のシンボル集合に含まれる任意の候補シンボルであり、第1のシンボル集合は、
上りサブフレームの1番目のシンボルである第1の候補シンボル、
上りサブフレームの2番目のシンボルである第2の候補シンボル、
上りサブフレームの最後のシンボルである第3の候補シンボル、
上りサブフレームの最後から2番目のシンボルである第4の候補シンボル、
上りサブフレームの1番目のタイムスロットにおけるDMRSに対応するシンボルである第5の候補シンボル、
上りサブフレームの2番目のタイムスロットにおけるDMRSに対応するシンボルである第6の候補シンボル、および
上りサブフレームの1番目のタイムスロットにおける最後のシンボルである第7の候補シンボル
の各候補シンボルのうちの少なくとも1つを含む。
【００２０】
すべての可能な実施態様において、第2のシンボル集合は、候補シンボル集合グループに含まれる任意の候補シンボル集合であり、候補シンボル集合グループに含まれる任意の候補シンボル集合は、K個の連続したシンボルを含み、Kは正の整数である。
【００２１】
すべての可能な実施態様において、Kの値は、14、13、12、または11である。
【００２２】
すべての可能な実施態様において、候補シンボル集合グループは、
上りサブフレームの1番目のシンボルから最後から4番目のシンボルまでからなる第1の候補シンボル集合、
上りサブフレームの2番目のシンボルから最後から3番目のシンボルまでからなる第2の候補シンボル集合、
上りサブフレームの3番目のシンボルから最後から2番目のシンボルまでからなる第3の候補シンボル集合、
上りサブフレームの4番目のシンボルから最後のシンボルまでからなる第4の候補シンボル集合、
上りサブフレームの1番目のシンボルから最後から3番目のシンボルまでからなる第5の候補シンボル集合、
上りサブフレームの2番目のシンボルから最後から2番目のシンボルまでからなる第6の候補シンボル集合、
上りサブフレームの3番目のシンボルから最後のシンボルまでからなる第7の候補シンボル集合、
上りサブフレームの1番目のシンボルから最後から2番目のシンボルまでからなる第8の候補シンボル集合、
上りサブフレームの2番目のシンボルから最後のシンボルまでからなる第9の候補シンボル集合、および
上りサブフレームのすべてのシンボルからなる第10の候補シンボル集合、
の各候補シンボル集合のうちの少なくとも1つを含む。
【００２３】
すべての可能な実施態様において、第1のシンボルが第1の候補シンボルである場合、第2のシンボル集合はA個の連続したシンボルを含み、Aの値は、11、12、もしくは13のうちのいずれか1つであり、かつ／または
第1のシンボルが第2の候補シンボルである場合、第2のシンボル集合はB個の連続したシンボルを含み、Bの値は、11もしくは12のどちらかであり、かつ／または
第1のシンボルが第3の候補シンボルである場合、第2のシンボル集合はC個の連続したシンボルを含み、Cの値は、11、12、もしくは13のうちのいずれか1つであり、かつ／または
第1のシンボルが第4の候補シンボルである場合、第2のシンボル集合はD個の連続したシンボルを含み、Dの値は、11もしくは12のどちらかであり、
第1の候補シンボルは、上りサブフレームの1番目のシンボルであり、
第2の候補シンボルは、上りサブフレームの2番目のシンボルであり、
第3の候補シンボルは、上りサブフレームの最後のシンボルであり、
第4の候補シンボルは、上りサブフレームの最後から2番目のシンボルである。
【００２４】
すべての可能な実施態様において、第1のシンボルが第1の候補シンボルである場合、第2のシンボル集合は、第3の候補シンボル集合、第6の候補シンボル集合、第7の候補シンボル集合、および第9の候補シンボル集合のうちのいずれか1つであり、かつ／または
第1のシンボルが第2の候補シンボルである場合、第2のシンボル集合は、第7の候補シンボル集合および第4の候補シンボル集合のどちらかであり、かつ／または
第1のシンボルが第3の候補シンボルである場合、第2のシンボル集合は、第2の候補シンボル集合、第5の候補シンボル集合、第6の候補シンボル集合、および第8の候補シンボル集合のうちの1つであり、かつ／または
第1のシンボルが第4の候補シンボルである場合、第2のシンボル集合は、第1の候補シンボル集合および第5の候補シンボル集合のどちらかであり、
第1の候補シンボルは、上りサブフレームの1番目のシンボルであり、
第2の候補シンボルは、上りサブフレームの2番目のシンボルであり、
第3の候補シンボルは、上りサブフレームの最後のシンボルであり、
第4の候補シンボルは、上りサブフレームの最後から2番目のシンボルであり、
第1の候補シンボル集合は、上りサブフレームの1番目のシンボルから最後から4番目のシンボルまでからなり、
第2の候補シンボル集合は、上りサブフレームの2番目のシンボルから最後から3番目のシンボルまでからなり、
第3の候補シンボル集合は、上りサブフレームの3番目のシンボルから最後から2番目のシンボルまでからなり、
第4の候補シンボル集合は、上りサブフレームの4番目のシンボルから最後のシンボルまでからなり、
第5の候補シンボル集合は、上りサブフレームの1番目のシンボルから最後から3番目のシンボルまでからなり、
第6の候補シンボル集合は、上りサブフレームの2番目のシンボルから最後から2番目のシンボルまでからなり、
第7の候補シンボル集合は、上りサブフレームの3番目のシンボルから最後のシンボルまでからなり、
第8の候補シンボル集合は、上りサブフレームの1番目のシンボルから最後から2番目のシンボルまでからなり、
第9の候補シンボル集合は、上りサブフレームの2番目のシンボルから最後のシンボルまでからなる。
【００２５】
第2の態様によれば、本発明の一実施形態は上り信号伝送方法を提供し、本方法は、
アクセス・ネットワーク・デバイスが、上りサブフレームの信号送信指示情報を送信するステップであって、信号送信指示情報が、端末UEに上りサブフレームの第1のシンボルでサウンディング参照信号SRSを送信するよう命令するのに使用され、かつ／または端末UEに上りサブフレームの第2のシンボル集合に含まれるシンボルでPUSCHを送信するよう命令するのに使用される、ステップと、
アクセス・ネットワーク・デバイスが、信号送信指示情報に基づいて上りサブフレームでUEによって送信されたSRSおよび／またはPUSCHを受信するステップと
を含む。
【００２６】
すべての可能な実施態様において、本方法は、
信号送信指示情報を使用してアクセス・ネットワーク・デバイスが、UEに、第1のシンボルおよび／もしくは第2のシンボル集合に含まれるシンボルを通知するステップ、または
アクセス・ネットワーク・デバイスが、UEのために第1のシンボルおよび／もしくは第2のシンボル集合に含まれるシンボルを事前構成するステップ
をさらに含む。
【００２７】
すべての可能な実施態様において、本方法は、
アクセス・ネットワーク・デバイスが、UEに第1の構成情報を送信するステップであって、第1の構成情報が、第1のシンボル集合および／もしくは候補シンボル集合グループの指示情報を含み、第1のシンボル集合が、第1のシンボルの少なくとも1つの候補シンボルを含み、候補シンボル集合グループが、第2のシンボル集合の少なくとも1つの候補シンボル集合を含む、ステップ
をさらに含む。
【００２８】
すべての可能な実施態様において、第1のシンボルは、第1のシンボル集合に含まれる任意の候補シンボルであり、第1のシンボル集合は、
上りサブフレームの1番目のシンボルである第1の候補シンボル、
上りサブフレームの2番目のシンボルである第2の候補シンボル、
上りサブフレームの最後のシンボルである第3の候補シンボル、
上りサブフレームの最後から2番目のシンボルである第4の候補シンボル、
上りサブフレームの1番目のタイムスロットにおけるDMRSに対応するシンボルである第5の候補シンボル、
上りサブフレームの2番目のタイムスロットにおけるDMRSに対応するシンボルである第6の候補シンボル、および
上りサブフレームの1番目のタイムスロットにおける最後のシンボルである第7の候補シンボル
の各候補シンボルのうちの少なくとも1つを含む。
【００２９】
すべての可能な実施態様において、第2のシンボル集合は、候補シンボル集合グループに含まれる任意の候補シンボル集合であり、候補シンボル集合グループに含まれる任意の候補シンボル集合は、K個の連続したシンボルを含み、Kは正の整数である。
【００３０】
すべての可能な実施態様において、Kの値は、14、13、12、または11である。
【００３１】
すべての可能な実施態様において、候補シンボル集合グループは、
上りサブフレームの1番目のシンボルから最後から4番目のシンボルまでからなる第1の候補シンボル集合、
上りサブフレームの2番目のシンボルから最後から3番目のシンボルまでからなる第2の候補シンボル集合、
上りサブフレームの3番目のシンボルから最後から2番目のシンボルまでからなる第3の候補シンボル集合、
上りサブフレームの4番目のシンボルから最後のシンボルまでからなる第4の候補シンボル集合、
上りサブフレームの1番目のシンボルから最後から3番目のシンボルまでからなる第5の候補シンボル集合、
上りサブフレームの2番目のシンボルから最後から2番目のシンボルまでからなる第6の候補シンボル集合、
上りサブフレームの3番目のシンボルから最後のシンボルまでからなる第7の候補シンボル集合、
上りサブフレームの1番目のシンボルから最後から2番目のシンボルまでからなる第8の候補シンボル集合、
上りサブフレームの2番目のシンボルから最後のシンボルまでからなる第9の候補シンボル集合、および
上りサブフレームのすべてのシンボルからなる第10の候補シンボル集合、
の各候補シンボル集合のうちの少なくとも1つを含む。
【００３２】
すべての可能な実施態様において、第1のシンボルが第1の候補シンボルである場合、第2のシンボル集合はA個の連続したシンボルを含み、Aの値は、11、12、もしくは13のうちのいずれか1つであり、かつ／または
第1のシンボルが第2の候補シンボルである場合、第2のシンボル集合はB個の連続したシンボルを含み、Bの値は、11もしくは12のどちらかであり、かつ／または
第1のシンボルが第3の候補シンボルである場合、第2のシンボル集合はC個の連続したシンボルを含み、Cの値は、11、12、もしくは13のうちのいずれか1つであり、かつ／または
第1のシンボルが第4の候補シンボルである場合、第2のシンボル集合はD個の連続したシンボルを含み、Dの値は、11もしくは12のどちらかであり、
第1の候補シンボルは、上りサブフレームの1番目のシンボルであり、
第2の候補シンボルは、上りサブフレームの2番目のシンボルであり、
第3の候補シンボルは、上りサブフレームの最後のシンボルであり、
第4の候補シンボルは、上りサブフレームの最後から2番目のシンボルである。
【００３３】
すべての可能な実施態様において、第1のシンボルが第1の候補シンボルである場合、第2のシンボル集合は、第3の候補シンボル集合、第6の候補シンボル集合、第7の候補シンボル集合、および第9の候補シンボル集合のうちのいずれか1つであり、かつ／または
第1のシンボルが第2の候補シンボルである場合、第2のシンボル集合は、第7の候補シンボル集合および第4の候補シンボル集合のどちらかであり、かつ／または
第1のシンボルが第3の候補シンボルである場合、第2のシンボル集合は、第2の候補シンボル集合、第5の候補シンボル集合、第6の候補シンボル集合、および第8の候補シンボル集合のうちの1つであり、かつ／または
第1のシンボルが第4の候補シンボルである場合、第2のシンボル集合は、第1の候補シンボル集合および第5の候補シンボル集合のどちらかであり、
第1の候補シンボルは、上りサブフレームの1番目のシンボルであり、
第2の候補シンボルは、上りサブフレームの2番目のシンボルであり、
第3の候補シンボルは、上りサブフレームの最後のシンボルであり、
第4の候補シンボルは、上りサブフレームの最後から2番目のシンボルであり、
第1の候補シンボル集合は、上りサブフレームの1番目のシンボルから最後から4番目のシンボルまでからなり、
第2の候補シンボル集合は、上りサブフレームの2番目のシンボルから最後から3番目のシンボルまでからなり、
第3の候補シンボル集合は、上りサブフレームの3番目のシンボルから最後から2番目のシンボルまでからなり、
第4の候補シンボル集合は、上りサブフレームの4番目のシンボルから最後のシンボルまでからなり、
第5の候補シンボル集合は、上りサブフレームの1番目のシンボルから最後から3番目のシンボルまでからなり、
第6の候補シンボル集合は、上りサブフレームの2番目のシンボルから最後から2番目のシンボルまでからなり、
第7の候補シンボル集合は、上りサブフレームの3番目のシンボルから最後のシンボルまでからなり、
第8の候補シンボル集合は、上りサブフレームの1番目のシンボルから最後から2番目のシンボルまでからなり、
第9の候補シンボル集合は、上りサブフレームの2番目のシンボルから最後のシンボルまでからなる。
【００３４】
第3の態様によれば、本発明の一実施形態は端末を提供し、本端末は、
上りサブフレームのためにアクセス・ネットワーク・デバイスによって送信された信号送信指示情報を受信するように構成された受信モジュールであって、信号送信指示情報が、端末UEに上りサブフレームの第1のシンボルでサウンディング参照信号SRSを送信するよう命令するのに使用され、かつ／またはUEに上りサブフレームの第2のシンボル集合に含まれるシンボルでPUSCHを送信するよう命令するのに使用される、受信モジュールと、
信号送信指示情報に基づいて上りサブフレームでSRSおよび／またはPUSCHを送信するように構成された、送信モジュールと
を含む。
【００３５】
すべての可能な実施態様において、第1のシンボルおよび／もしくは第2のシンボル集合に含まれるシンボルは、信号送信指示情報を使用してアクセス・ネットワーク・デバイスによってUEに送信され、または
第1のシンボルおよび／もしくは第2のシンボル集合に含まれるシンボルは、アクセス・ネットワーク・デバイスによってUEのために事前構成される。
【００３６】
すべての可能な実施態様において、本端末は、処理モジュールをさらに含み、処理モジュールは、
第1の構成情報を決定し、第1の構成情報が、第1のシンボル集合および／もしくは候補シンボル集合グループの指示情報を含み、
信号送信指示情報に基づいて第1のシンボル集合内の第1のシンボルを決定し、かつ／または
信号送信指示情報に基づいて候補シンボル集合グループ内の第2のシンボル集合を決定する
ように構成される。
【００３７】
すべての可能な実施態様において、受信モジュールは、アクセス・ネットワーク・デバイスによって送信された第1の構成情報を受信するようにさらに構成され、または
処理モジュールは、信号送信指示情報に基づいて上りサブフレームの種類を決定し、上りサブフレームの種類と第1の構成情報との間の事前設定対応関係に基づいて上りサブフレームの種類に対応する第1の構成情報を決定する、ようにさらに構成される。
【００３８】
すべての可能な実施態様において、第1のシンボルは、第1のシンボル集合に含まれる任意の候補シンボルであり、第1のシンボル集合は、
上りサブフレームの1番目のシンボルである第1の候補シンボル、
上りサブフレームの2番目のシンボルである第2の候補シンボル、
上りサブフレームの最後のシンボルである第3の候補シンボル、
上りサブフレームの最後から2番目のシンボルである第4の候補シンボル、
上りサブフレームの1番目のタイムスロットにおけるDMRSに対応するシンボルである第5の候補シンボル、
上りサブフレームの2番目のタイムスロットにおけるDMRSに対応するシンボルである第6の候補シンボル、および
上りサブフレームの1番目のタイムスロットにおける最後のシンボルである第7の候補シンボル
の各候補シンボルのうちの少なくとも1つを含む。
【００３９】
すべての可能な実施態様において、第2のシンボル集合は、候補シンボル集合グループに含まれる任意の候補シンボル集合であり、候補シンボル集合グループに含まれる任意の候補シンボル集合は、K個の連続したシンボルを含み、Kは正の整数である。
【００４０】
すべての可能な実施態様において、Kの値は、14、13、12、または11である。
【００４１】
すべての可能な実施態様において、候補シンボル集合グループは、
上りサブフレームの1番目のシンボルから最後から4番目のシンボルまでからなる第1の候補シンボル集合、
上りサブフレームの2番目のシンボルから最後から3番目のシンボルまでからなる第2の候補シンボル集合、
上りサブフレームの3番目のシンボルから最後から2番目のシンボルまでからなる第3の候補シンボル集合、
上りサブフレームの4番目のシンボルから最後のシンボルまでからなる第4の候補シンボル集合、
上りサブフレームの1番目のシンボルから最後から3番目のシンボルまでからなる第5の候補シンボル集合、
上りサブフレームの2番目のシンボルから最後から2番目のシンボルまでからなる第6の候補シンボル集合、
上りサブフレームの3番目のシンボルから最後のシンボルまでからなる第7の候補シンボル集合、
上りサブフレームの1番目のシンボルから最後から2番目のシンボルまでからなる第8の候補シンボル集合、
上りサブフレームの2番目のシンボルから最後のシンボルまでからなる第9の候補シンボル集合、および
上りサブフレームのすべてのシンボルからなる第10の候補シンボル集合、
の各候補シンボル集合のうちの少なくとも1つを含む。
【００４２】
すべての可能な実施態様において、第1のシンボルが第1の候補シンボルである場合、第2のシンボル集合はA個の連続したシンボルを含み、Aの値は、11、12、もしくは13のうちのいずれか1つであり、かつ／または
第1のシンボルが第2の候補シンボルである場合、第2のシンボル集合はB個の連続したシンボルを含み、Bの値は、11もしくは12のどちらかであり、かつ／または
第1のシンボルが第3の候補シンボルである場合、第2のシンボル集合はC個の連続したシンボルを含み、Cの値は、11、12、もしくは13のうちのいずれか1つであり、かつ／または
第1のシンボルが第4の候補シンボルである場合、第2のシンボル集合はD個の連続したシンボルを含み、Dの値は、11もしくは12のどちらかであり、
第1の候補シンボルは、上りサブフレームの1番目のシンボルであり、
第2の候補シンボルは、上りサブフレームの2番目のシンボルであり、
第3の候補シンボルは、上りサブフレームの最後のシンボルであり、
第4の候補シンボルは、上りサブフレームの最後から2番目のシンボルである。
【００４３】
すべての可能な実施態様において、第1のシンボルが第1の候補シンボルである場合、第2のシンボル集合は、第3の候補シンボル集合、第6の候補シンボル集合、第7の候補シンボル集合、および第9の候補シンボル集合のうちのいずれか1つであり、かつ／または
第1のシンボルが第2の候補シンボルである場合、第2のシンボル集合は、第7の候補シンボル集合および第4の候補シンボル集合のどちらかであり、かつ／または
第1のシンボルが第3の候補シンボルである場合、第2のシンボル集合は、第2の候補シンボル集合、第5の候補シンボル集合、第6の候補シンボル集合、および第8の候補シンボル集合のうちの1つであり、かつ／または
第1のシンボルが第4の候補シンボルである場合、第2のシンボル集合は、第1の候補シンボル集合および第5の候補シンボル集合のどちらかであり、
第1の候補シンボルは、上りサブフレームの1番目のシンボルであり、
第2の候補シンボルは、上りサブフレームの2番目のシンボルであり、
第3の候補シンボルは、上りサブフレームの最後のシンボルであり、
第4の候補シンボルは、上りサブフレームの最後から2番目のシンボルであり、
第1の候補シンボル集合は、上りサブフレームの1番目のシンボルから最後から4番目のシンボルまでからなり、
第2の候補シンボル集合は、上りサブフレームの2番目のシンボルから最後から3番目のシンボルまでからなり、
第3の候補シンボル集合は、上りサブフレームの3番目のシンボルから最後から2番目のシンボルまでからなり、
第4の候補シンボル集合は、上りサブフレームの4番目のシンボルから最後のシンボルまでからなり、
第5の候補シンボル集合は、上りサブフレームの1番目のシンボルから最後から3番目のシンボルまでからなり、
第6の候補シンボル集合は、上りサブフレームの2番目のシンボルから最後から2番目のシンボルまでからなり、
第7の候補シンボル集合は、上りサブフレームの3番目のシンボルから最後のシンボルまでからなり、
第8の候補シンボル集合は、上りサブフレームの1番目のシンボルから最後から2番目のシンボルまでからなり、
第9の候補シンボル集合は、上りサブフレームの2番目のシンボルから最後のシンボルまでからなる。
【００４４】
第4の態様によれば、本発明の一実施形態はアクセス・ネットワーク・デバイスを提供し、本アクセス・ネットワーク・デバイスは、
上りサブフレームの信号送信指示情報を送信するように構成された送信モジュールであって、信号送信指示情報が、端末UEに上りサブフレームの第1のシンボルでサウンディング参照信号SRSを送信するよう命令するのに使用され、かつ／または端末UEに上りサブフレームの第2のシンボル集合に含まれるシンボルでPUSCHを送信するよう命令するのに使用される、送信モジュールと、
信号送信指示情報に基づいて上りサブフレームでUEによって送信されたSRSおよび／またはPUSCHを受信するように構成された、受信モジュールと
を含む。
【００４５】
すべての可能な実施態様において、アクセス・ネットワーク・デバイスは、処理モジュールをさらに含み、処理モジュールは、
信号送信指示情報を使用して、UEに、第1のシンボルおよび／もしくは第2のシンボル集合に含まれるシンボルを通知し、または
UEのために第1のシンボルおよび／もしくは第2のシンボル集合に含まれるシンボルを事前構成する
ように特に構成される。
【００４６】
すべての可能な実施態様において、送信モジュールは、
UEに第1の構成情報を送信し、第1の構成情報が、第1のシンボル集合および／もしくは候補シンボル集合グループの指示情報を含み、第1のシンボル集合が、第1のシンボルの少なくとも1つの候補シンボルを含み、候補シンボル集合グループが、第2のシンボル集合の少なくとも1つの候補シンボル集合を含む、
ようにさらに構成される。
【００４７】
すべての可能な実施態様において、第1のシンボルは、第1のシンボル集合に含まれる任意の候補シンボルであり、第1のシンボル集合は、
上りサブフレームの1番目のシンボルである第1の候補シンボル、
上りサブフレームの2番目のシンボルである第2の候補シンボル、
上りサブフレームの最後のシンボルである第3の候補シンボル、
上りサブフレームの最後から2番目のシンボルである第4の候補シンボル、
上りサブフレームの1番目のタイムスロットにおけるDMRSに対応するシンボルである第5の候補シンボル、
上りサブフレームの2番目のタイムスロットにおけるDMRSに対応するシンボルである第6の候補シンボル、および
上りサブフレームの1番目のタイムスロットにおける最後のシンボルである第7の候補シンボル
の各候補シンボルのうちの少なくとも1つを含む。
【００４８】
すべての可能な実施態様において、第2のシンボル集合は、候補シンボル集合グループに含まれる任意の候補シンボル集合であり、候補シンボル集合グループに含まれる任意の候補シンボル集合は、K個の連続したシンボルを含み、Kは正の整数である。
【００４９】
すべての可能な実施態様において、Kの値は、14、13、12、または11である。
【００５０】
すべての可能な実施態様において、候補シンボル集合グループは、
上りサブフレームの1番目のシンボルから最後から4番目のシンボルまでからなる第1の候補シンボル集合、
上りサブフレームの2番目のシンボルから最後から3番目のシンボルまでからなる第2の候補シンボル集合、
上りサブフレームの3番目のシンボルから最後から2番目のシンボルまでからなる第3の候補シンボル集合、
上りサブフレームの4番目のシンボルから最後のシンボルまでからなる第4の候補シンボル集合、
上りサブフレームの1番目のシンボルから最後から3番目のシンボルまでからなる第5の候補シンボル集合、
上りサブフレームの2番目のシンボルから最後から2番目のシンボルまでからなる第6の候補シンボル集合、
上りサブフレームの3番目のシンボルから最後のシンボルまでからなる第7の候補シンボル集合、
上りサブフレームの1番目のシンボルから最後から2番目のシンボルまでからなる第8の候補シンボル集合、
上りサブフレームの2番目のシンボルから最後のシンボルまでからなる第9の候補シンボル集合、および
上りサブフレームのすべてのシンボルからなる第10の候補シンボル集合、
の各候補シンボル集合のうちの少なくとも1つを含む。
【００５１】
すべての可能な実施態様において、第1のシンボルが第1の候補シンボルである場合、第2のシンボル集合はA個の連続したシンボルを含み、Aの値は、11、12、もしくは13のうちのいずれか1つであり、かつ／または
第1のシンボルが第2の候補シンボルである場合、第2のシンボル集合はB個の連続したシンボルを含み、Bの値は、11もしくは12のどちらかであり、かつ／または
第1のシンボルが第3の候補シンボルである場合、第2のシンボル集合はC個の連続したシンボルを含み、Cの値は、11、12、もしくは13のうちのいずれか1つであり、かつ／または
第1のシンボルが第4の候補シンボルである場合、第2のシンボル集合はD個の連続したシンボルを含み、Dの値は、11もしくは12のどちらかであり、
第1の候補シンボルは、上りサブフレームの1番目のシンボルであり、
第2の候補シンボルは、上りサブフレームの2番目のシンボルであり、
第3の候補シンボルは、上りサブフレームの最後のシンボルであり、
第4の候補シンボルは、上りサブフレームの最後から2番目のシンボルである。
【００５２】
すべての可能な実施態様において、第1のシンボルが第1の候補シンボルである場合、第2のシンボル集合は、第3の候補シンボル集合、第6の候補シンボル集合、第7の候補シンボル集合、および第9の候補シンボル集合のうちのいずれか1つであり、かつ／または
第1のシンボルが第2の候補シンボルである場合、第2のシンボル集合は、第7の候補シンボル集合および第4の候補シンボル集合のどちらかであり、かつ／または
第1のシンボルが第3の候補シンボルである場合、第2のシンボル集合は、第2の候補シンボル集合、第5の候補シンボル集合、第6の候補シンボル集合、および第8の候補シンボル集合のうちの1つであり、かつ／または
第1のシンボルが第4の候補シンボルである場合、第2のシンボル集合は、第1の候補シンボル集合および第5の候補シンボル集合のどちらかであり、
第1の候補シンボルは、上りサブフレームの1番目のシンボルであり、
第2の候補シンボルは、上りサブフレームの2番目のシンボルであり、
第3の候補シンボルは、上りサブフレームの最後のシンボルであり、
第4の候補シンボルは、上りサブフレームの最後から2番目のシンボルであり、
第1の候補シンボル集合は、上りサブフレームの1番目のシンボルから最後から4番目のシンボルまでからなり、
第2の候補シンボル集合は、上りサブフレームの2番目のシンボルから最後から3番目のシンボルまでからなり、
第3の候補シンボル集合は、上りサブフレームの3番目のシンボルから最後から2番目のシンボルまでからなり、
第4の候補シンボル集合は、上りサブフレームの4番目のシンボルから最後のシンボルまでからなり、
第5の候補シンボル集合は、上りサブフレームの1番目のシンボルから最後から3番目のシンボルまでからなり、
第6の候補シンボル集合は、上りサブフレームの2番目のシンボルから最後から2番目のシンボルまでからなり、
第7の候補シンボル集合は、上りサブフレームの3番目のシンボルから最後のシンボルまでからなり、
第8の候補シンボル集合は、上りサブフレームの1番目のシンボルから最後から2番目のシンボルまでからなり、
第9の候補シンボル集合は、上りサブフレームの2番目のシンボルから最後のシンボルまでからなる。
【００５３】
第5の態様によれば、本発明の一実施形態はSRS伝送方法をさらに提供し、本方法は、
アクセス・ネットワーク・デバイスが、UEに上りサブフレームのSRS送信指示情報を送信するステップと、
アクセス・ネットワーク・デバイスが、SRS送信指示情報に基づいて上りサブフレームでUEの上り信号を受信するステップと
を含む。
【００５４】
すべての可能な実施態様において、SRS送信指示情報が、上りサブフレームの第1のシンボルでSRSを送信するよう命令する場合、アクセス・ネットワーク・デバイスは、上りサブフレームの第1のシンボルでSRSを受信し、そうでない場合、アクセス・ネットワーク・デバイスは、上りサブフレームでSRSを受信しない。
【００５５】
すべての可能な実施態様において、第1のシンボルは第1のシンボル集合に含まれる任意の候補シンボルであり、第1のシンボル集合は、
上りサブフレームの1番目のシンボルである第1の候補シンボル、
上りサブフレームの2番目のシンボルである第2の候補シンボル、
上りサブフレームの最後のシンボルである第3の候補シンボル、
上りサブフレームの最後から2番目のシンボルである第4の候補シンボル、
上りサブフレームの1番目のタイムスロットにおけるDMRSに対応するシンボルである第5の候補シンボル、
上りサブフレームの2番目のタイムスロットにおけるDMRSに対応するシンボルである第6の候補シンボル、および
上りサブフレームの1番目のタイムスロットにおける最後のシンボルである第7の候補シンボル
の各候補シンボルのうちの少なくとも1つを含む。
【００５６】
すべての可能な実施態様において、SRS送信指示情報は、アクセス・ネットワーク・デバイスによって少なくとも2台のUEに送信される共通下り制御チャネル上の情報に属する。
【００５７】
すべての可能な実施態様において、共通下り制御チャネルは、
物理下り制御チャネルの共通探索空間で送信される物理下り制御チャネル、
エンハンスト物理下り制御チャネルの共通探索空間で送信されるエンハンスト物理下り制御チャネル、
ハイブリッド自動再送指示物理チャネルのリソースで送信される共通下り制御チャネル、
物理制御フォーマット指示チャネルのリソースで送信される共通下り制御チャネル
のうちのいずれか1つである。
【００５８】
第6の態様によれば、本発明の一実施形態はSRS伝送方法をさらに提供し、本方法は、
UEが、上りサブフレームのためにアクセス・ネットワーク・デバイスによって送信されたSRS送信指示情報を受信するステップと、
SRS送信指示情報に基づいてUEが、上りサブフレームでSRSを送信すべきかどうか判断するステップと
を含む。
【００５９】
すべての可能な実施態様において、第1のシンボルは第1のシンボル集合に含まれる任意の候補シンボルであり、第1のシンボル集合は、
上りサブフレームの1番目のシンボルである第1の候補シンボル、
上りサブフレームの2番目のシンボルである第2の候補シンボル、
上りサブフレームの最後のシンボルである第3の候補シンボル、
上りサブフレームの最後から2番目のシンボルである第4の候補シンボル、
上りサブフレームの1番目のタイムスロットにおけるDMRSに対応するシンボルである第5の候補シンボル、
上りサブフレームの2番目のタイムスロットにおけるDMRSに対応するシンボルである第6の候補シンボル、および
上りサブフレームの1番目のタイムスロットにおける最後のシンボルである第7の候補シンボル
の各候補シンボルのうちの少なくとも1つを含む。
【００６０】
第7の態様によれば、本発明の一実施形態はアクセス・ネットワーク・デバイスをさらに提供し、本アクセス・ネットワーク・デバイスは、
UEに上りサブフレームのSRS送信指示情報を送信するように構成された、送信モジュールと、
SRS送信指示情報に基づいて上りサブフレームでUEの上り信号を受信するように構成された、受信モジュールと
を含む。
【００６１】
すべての可能な実施態様において、SRS送信指示情報が、上りサブフレームの第1のシンボルでSRSを送信するよう命令する場合、受信モジュールは、上りサブフレームの第1のシンボルでSRSを受信し、そうでない場合、受信モジュールは、上りサブフレームでSRSを受信しない。
【００６２】
すべての可能な実施態様において、第1のシンボルは第1のシンボル集合に含まれる任意の候補シンボルであり、第1のシンボル集合は、
上りサブフレームの1番目のシンボルである第1の候補シンボル、
上りサブフレームの2番目のシンボルである第2の候補シンボル、
上りサブフレームの最後のシンボルである第3の候補シンボル、
上りサブフレームの最後から2番目のシンボルである第4の候補シンボル、
上りサブフレームの1番目のタイムスロットにおけるDMRSに対応するシンボルである第5の候補シンボル、
上りサブフレームの2番目のタイムスロットにおけるDMRSに対応するシンボルである第6の候補シンボル、および
上りサブフレームの1番目のタイムスロットにおける最後のシンボルである第7の候補シンボル
の各候補シンボルのうちの少なくとも1つを含む。
【００６３】
すべての可能な実施態様において、SRS送信指示情報は、送信モジュールによって少なくとも2台のUEに送信される共通下り制御チャネル上の情報に属する。
【００６４】
すべての可能な実施態様において、共通下り制御チャネルは、
物理下り制御チャネルの共通探索空間で送信される物理下り制御チャネル、
エンハンスト物理下り制御チャネルの共通探索空間で送信されるエンハンスト物理下り制御チャネル、
ハイブリッド自動再送指示物理チャネルのリソースで送信される共通下り制御チャネル、
物理制御フォーマット指示チャネルのリソースで送信される共通下り制御チャネル
のうちのいずれか1つである。
【００６５】
第8の態様によれば、本発明の一実施形態は端末UEを提供し、本端末UEは、
上りサブフレームのためにアクセス・ネットワーク・デバイスによって送信されたSRS送信指示情報を受信するように構成された、受信モジュールと、
SRS送信指示情報に基づいて、上りサブフレームでSRSを送信すべきかどうか判断するように構成された、送信モジュールと
を含む。
【００６６】
すべての可能な実施態様において、第1のシンボルは第1のシンボル集合に含まれる任意の候補シンボルであり、第1のシンボル集合は、
上りサブフレームの1番目のシンボルである第1の候補シンボル、
上りサブフレームの2番目のシンボルである第2の候補シンボル、
上りサブフレームの最後のシンボルである第3の候補シンボル、
上りサブフレームの最後から2番目のシンボルである第4の候補シンボル、
上りサブフレームの1番目のタイムスロットにおけるDMRSに対応するシンボルである第5の候補シンボル、
上りサブフレームの2番目のタイムスロットにおけるDMRSに対応するシンボルである第6の候補シンボル、および
上りサブフレームの1番目のタイムスロットにおける最後のシンボルである第7の候補シンボル
の各候補シンボルのうちの少なくとも1つを含む。
【００６７】
第9の態様によれば、本発明の一実施形態は端末を提供する。本端末は、プロセッサと、メモリと、送受信機とを含む。送受信機は、プロセッサの制御下でデータを送受信するように構成され、メモリは、事前設定プログラムを格納し、プロセッサは、メモリに格納されたプログラムを読み取り、プログラムに従って、
送受信機を使用して、上りサブフレームのためにアクセス・ネットワーク・デバイスによって送信された信号送信指示情報を受信するプロセスであって、信号送信指示情報が、端末UEに上りサブフレームの第1のシンボルでサウンディング参照信号SRSを送信するよう命令するのに使用され、かつ／またはUEに上りサブフレームの第2のシンボル集合に含まれるシンボルでPUSCHを送信するよう命令するのに使用される、プロセスと、
送受信機に、信号送信指示情報に基づいて上りサブフレームでSRSおよび／またはPUSCHを送信するよう命令するプロセスと
を行う。
【００６８】
すべての可能な実施態様において、第1のシンボルおよび／もしくは第2のシンボル集合に含まれるシンボルは、信号送信指示情報を使用してアクセス・ネットワーク・デバイスによってUEに送信され、または
第1のシンボルおよび／もしくは第2のシンボル集合に含まれるシンボルは、アクセス・ネットワーク・デバイスによってUEのために事前構成される。
【００６９】
すべての可能な実施態様において、プロセッサは、第1の構成情報を決定し、第1の構成情報が、第1のシンボル集合および／もしくは候補シンボル集合グループの指示情報を含み、
信号送信指示情報に基づいて第1のシンボル集合内の第1のシンボルを決定し、かつ／または信号送信指示情報に基づいて候補シンボル集合グループ内の第2のシンボル集合を決定する。
【００７０】
すべての可能な実施態様において、プロセッサは、送受信機を使用して、アクセス・ネットワーク・デバイスによって送信された第1の構成情報を受信し、または
プロセッサは、信号送信指示情報に基づいて上りサブフレームの種類を決定し、上りサブフレームの種類と第1の構成情報との間の事前設定対応関係に基づいて上りサブフレームの種類に対応する第1の構成情報を決定する。
【００７１】
第10の態様によれば、本発明の一実施形態は、アクセス・ネットワーク・デバイスをさらに提供し、本アクセス・ネットワーク・デバイスは、プロセッサと、メモリと送受信機とを含む。送受信機は、プロセッサの制御下でデータを送受信するように構成され、メモリは、事前設定プログラムを格納し、プロセッサは、メモリに格納されたプログラムを読み取り、プログラムに従って、
送受信機に、上りサブフレームの信号送信指示情報を送信するよう命令するプロセスであって、信号送信指示情報が、端末UEに上りサブフレームの第1のシンボルでサウンディング参照信号SRSを送信するよう命令するのに使用され、かつ／または端末UEに上りサブフレームの第2のシンボル集合に含まれるシンボルでPUSCHを送信するよう命令するのに使用される、プロセスと、
送受信機を使用して、信号送信指示情報に基づいて上りサブフレームでUEによって送信されたSRSおよび／またはPUSCHを受信するプロセスと
を行う。
【００７２】
1つの可能な実施態様において、プロセッサは、信号送信指示情報を使用して、UEに、第1のシンボルおよび／もしくは第2のシンボル集合に含まれるシンボルを通知し、またはUEのために第1のシンボルおよび／もしくは第2のシンボル集合に含まれるシンボルを事前構成する。
【００７３】
1つの可能な実施態様において、プロセッサは、送受信機に、UEに第1の構成情報を送信するよう命令し、第1の構成情報が、第1のシンボル集合および／もしくは候補シンボル集合グループの指示情報を含み、第1のシンボル集合が、第1のシンボルの少なくとも1つの候補シンボルを含み、候補シンボル集合グループが、第2のシンボル集合の少なくとも1つの候補シンボル集合を含む、ようにさらに構成される。
【００７４】
第11の態様によれば、本発明の一実施形態は、アクセス・ネットワーク・デバイスを提供し、本アクセス・ネットワーク・デバイスは、プロセッサと、メモリと送受信機とを含む。送受信機は、プロセッサの制御下でデータを送受信するように構成され、メモリは、事前設定プログラムを格納し、プロセッサは、メモリに格納されたプログラムを読み取り、プログラムに従って、
送受信機に、UEに上りサブフレームのSRS送信指示情報を送信するよう命令するプロセスと、
SRS送信指示情報に基づいて、送受信機に、上りサブフレームでUEの上り信号を受信するよう命令するプロセスと
を行う。
【００７５】
第12の態様によれば、本発明の一実施形態は、端末を提供し、本端末は、プロセッサと、メモリと送受信機とを含む。送受信機は、プロセッサの制御下でデータを送受信するように構成され、メモリは、事前設定プログラムを格納し、プロセッサは、メモリに格納されたプログラムを読み取り、プログラムに従って、
送受信機を使用して、上りサブフレームのためにアクセス・ネットワーク・デバイスによって送信されたSRS送信指示情報を受信するプロセスと、
上りサブフレームのSRS送信指示情報に基づいて、送受信機に、上りサブフレームでSRSを送信するよう命令すべきかどうか判断するプロセスと
を行う。
【００７６】
以上の技術的解決策に基づき、本発明の実施形態においては、アクセス・ネットワーク・デバイスは、UEに、上りサブフレームの信号送信指示情報を通知し、信号送信指示情報を使用して、SRSおよび／またはPUSCHを送信するための上りサブフレームのシンボルを指示し、UEは、信号送信指示情報によって指示されたシンボルに基づいて上りサブフレームでSRSおよび／またはPUSCHを送信する。したがって、UEは、免許不要周波数リソースの上りサブフレームでSRSおよび／またはPUSCHを送信するように動的にスケジュールされ、UEがアクセス・ネットワーク・デバイスによって一元的にスケジュールされる免許不要周波数リソースでPUSCHを送信する前に、UEがチャネルのビジー／アイドル状態を検出するという要件が満たされ、異なるUE間でのSRSおよび／またはPUSCH送信の干渉を回避することができ、それによって、免許不要周波数リソースにおける上りデータの伝送効率が改善される。
【図面の簡単な説明】
【００７７】
【図１】先行技術においてUEが免許不要周波数リソースで物理下り共有チャネルを送信するようにスケジュールされることを示す概略図である。
【図２】本発明の一実施形態による上り信号伝送プロセスの概略図である。
【図３】本発明の一実施形態による、アクセス・ネットワーク・デバイスが上りサブフレームの信号送信指示情報を生成するプロセスの概略図である。
【図４】本発明の一実施形態による、上りサブフレームでチャネルのビジー／アイドル状態がリッスンされる位置の概略図である。
【図５】本発明の一実施形態による、別の上りサブフレームでチャネルのビジー／アイドル状態がリッスンされる位置の概略図である。
【図６ａ】本発明の第1の具体的な実施形態による、上りサブフレームにおけるチャネル分配の概略図である。
【図６ｂ】本発明の第1の具体的な実施形態による、別の上りサブフレームにおけるチャネル分配の概略図である。
【図６ｃ】本発明の第1の具体的な実施形態による、別の上りサブフレームにおけるチャネル分配の概略図である。
【図６ｄ】本発明の第1の具体的な実施形態による、別の上りサブフレームにおけるチャネル分配の概略図である。
【図６ｅ】本発明の第1の具体的な実施形態による、別の上りサブフレームにおけるチャネル分配の概略図である。
【図６ｆ】本発明の第1の具体的な実施形態による、別の上りサブフレームにおけるチャネル分配の概略図である。
【図６ｇ】本発明の第1の具体的な実施形態による、別の上りサブフレームにおけるチャネル分配の概略図である。
【図６ｈ】本発明の第1の具体的な実施形態による、別の上りサブフレームにおけるチャネル分配の概略図である。
【図６ｋ】本発明の第1の具体的な実施形態による、別の上りサブフレームにおけるチャネル分配の概略図である。
【図６ｍ】本発明の第1の具体的な実施形態による、別の上りサブフレームにおけるチャネル分配の概略図である。
【図７ａ】本発明の第2の具体的な実施形態による、上りサブフレームにおけるチャネル分配の概略図である。
【図７ｂ】本発明の第2の具体的な実施形態による、別の上りサブフレームにおけるチャネル分配の概略図である。
【図７ｃ】本発明の第2の具体的な実施形態による、別の上りサブフレームにおけるチャネル分配の概略図である。
【図７ｄ】本発明の第2の具体的な実施形態による、別の上りサブフレームにおけるチャネル分配の概略図である。
【図８】本発明の第3の具体的な実施形態による、上りサブフレームにおけるチャネル分配の概略図である。
【図９】本発明の第3の具体的な実施形態による、別の上りサブフレームにおけるチャネル分配の概略図である。
【図１０ａ】本発明の第4の具体的な実施形態による、上りサブフレームにおけるチャネル分配の概略図である。
【図１０ｂ】本発明の第4の具体的な実施形態による、別の上りサブフレームにおけるチャネル分配の概略図である。
【図１０ｃ】本発明の第4の具体的な実施形態による、別の上りサブフレームにおけるチャネル分配の概略図である。
【図１０ｄ】本発明の第4の具体的な実施形態による、別の上りサブフレームにおけるチャネル分配の概略図である。
【図１１ａ】本発明の第5の具体的な実施形態による、上りサブフレームにおけるチャネル分配の概略図である。
【図１１ｂ】本発明の第5の具体的な実施形態による、別の上りサブフレームにおけるチャネル分配の概略図である。
【図１２】本発明の一実施形態によるSRS伝送プロセスの概略図である。
【図１３】本発明の一実施形態による端末の概略的構造図である。
【図１４】本発明の一実施形態による別の端末の概略的構造図である。
【図１５】本発明の一実施形態によるネットワーク側デバイスの概略的構造図である。
【図１６】本発明の一実施形態による別のネットワーク側デバイスの概略的構造図である。
【図１７】本発明の一実施形態による別のネットワーク側デバイスの概略的構造図である。
【図１８】本発明の一実施形態による別のネットワーク側デバイスの概略的構造図である。
【図１９】本発明の一実施形態による別の端末の概略的構造図である。
【図２０】本発明の一実施形態による別の端末の概略的構造図である。
【発明を実施するための形態】
【００７８】
本発明の目的、技術的解決策、および利点をより明確にするために、以下で、添付の図面に関連して本発明を詳細にさらに説明する。明らかに、説明する実施形態は本発明の実施形態の全部ではなく一部にすぎない。本発明の実施形態に基づいて当業者により難なく得られる他のすべての実施形態は、本発明の保護範囲内に含まれるものとする。
【００７９】
本発明の実施形態では、免許不要周波数リソースにおいて、UEが、上りサブフレームのものである、SRSを送信するように構成された最後のシンボルでPUSCHを送信しないために、免許不要帯域での上りデータの伝送効率が低下するという問題を解決するために、アクセス・ネットワーク・デバイスがUEに上りサブフレームの信号送信指示情報を通知し、信号送信指示情報は、上りサブフレームのものである、SRSおよび／またはPUSCHを送信するためのシンボルを指示し、UEは、信号送信指示情報によって指示されたシンボルに基づいて上りサブフレームでSRSおよび／またはPUSCHを送信する、という解決策が提供される。
【００８０】
本発明の実施形態において、アクセス・ネットワーク・デバイスは基地局（eNB）であってよい。
【００８１】
この解決策に基づき、本発明は、以下の実施形態を提供する。本発明で提供されるすべての実施形態において、PUSCHを送信するためのシンボルは、PUSCHを送信するためのデータシンボルと、PUSCHを復調するのに使用される復調参照信号を送信するためのシンボルとを含むことに留意されたい。
【００８２】
本発明の一実施形態において、免許不要周波数リソースで上り信号伝送を行うプロセスが図2に示されており、詳細は以下のとおりである。
【００８３】
ステップ201：アクセス・ネットワーク・デバイスが、上りサブフレームの信号送信指示情報を送信し、信号送信指示情報は、UEに上りサブフレームの第1のシンボルでSRSを送信するよう命令するのに使用され、かつ／またはUEに上りサブフレームの第2のシンボル集合に含まれるシンボルでPUSCHを送信するよう命令するのに使用される。
【００８４】
具体的には、SRSとPUSCHとが同じ上りサブフレームで同時に送信される場合、第1のシンボルの位置と第2のシンボル集合に含まれるシンボルの位置とが互いにオーバーラップしない。
【００８５】
以下の実施形態では、第1の上りサブフレームの次のサブフレームを第2の上りサブフレームと呼ぶものとする。
【００８６】
本発明の本実施形態では、アクセス・ネットワーク・デバイスは、UE1を、第1の上りサブフレームでPUSCHおよび／またはSRSを送信するようにスケジュールする必要があるものと仮定する。少なくとも1台の別のUE（UE2を例にとる）を第2の上りサブフレームでデータを送信するようにスケジュールすべきかどうかに応じて、アクセス・ネットワーク・デバイスは、UE2が第2の上りサブフレームでデータを送信する前にUE2がチャネルのビジー／アイドル状態を検出するために、第1の上りサブフレームが終了する前に、第1の上りサブフレームで、例えば、第1の上りサブフレームの最後のシンボルで時間を予約する必要があるかどうか判断する。UE2が第2の上りサブフレームでデータを送信する前にUE2がチャネルのビジー／アイドル状態を検出するために第1の上りサブフレームで時間が予約されるかどうかは、第1の上りサブフレームでPUSCHおよび／またはSRSを送信するためにUE1によって占有されるシンボルの長さおよび／または位置に影響を及ぼす。UE1は、アクセス・ネットワーク・デバイスがUE2を第2の上りサブフレームでスケジュールするかどうか、およびUEが第2の上りサブフレームでデータを送信する前にUE2がチャネルのビジー／アイドル状態を検出するために第1の上りサブフレームで時間を予約する必要があるかどうかを知ることができないため、UE1は、第1の上りサブフレームのためにアクセス・ネットワーク・デバイスによって送信された信号送信指示情報に基づいて、第2のシンボル集合に含まれる、第1の上りサブフレームでPUSCHを送信するためのシンボルおよび／または第1の上りサブフレームでSRSを送信するための第1のシンボルを決定する必要がある。
【００８７】
（1）アクセス・ネットワーク・デバイスがUE1を第1の上りサブフレームでPUSCHを送信するようにスケジュールし、第1の上りサブフレームの最後のシンボルを、UE2がチャネルのビジー／アイドル状態を検出するための時間として予約する必要がある場合、第1の上りサブフレームでUE1によって送信されるPUSCHは第1の上りサブフレームの最後のシンボルを占有することができない。アクセス・ネットワーク・デバイスは、UE1に第1の上りサブフレームの信号送信指示情報を送信し、信号送信指示情報を使用して、UE1に、第1の上りサブフレームの第2のシンボル集合に含まれるシンボルでPUSCHを送信するよう命令し、第2のシンボル集合は第1の上りサブフレームの最後のシンボルを含まない。
【００８８】
第1の上りサブフレームの最後のシンボルを、UE2がチャネルのビジー／アイドル状態を検出するための時間として予約する必要がない場合、第1の上りサブフレームでUE1によって送信されるPUSCHは第1の上りサブフレームの最後のシンボルを占有しうる。アクセス・ネットワーク・デバイスは、UE1に第1の上りサブフレームの信号送信指示情報を送信し、信号送信指示情報を使用して、UE1に、第1の上りサブフレームの第2のシンボル集合に含まれるシンボルでPUSCHを送信するよう命令し、第2のシンボル集合は第1の上りサブフレームの最後のシンボルを含む。
【００８９】
加えて、第2のシンボル集合に含まれ、UE1によって第1の上りサブフレームでPUSCHを送信するのに使用されるシンボルの数および位置は、第1の上りサブフレーム内の、UE1および／または別のUEによってSRSを送信するのに使用されるシンボルがあるかどうか、ならびに別のUEが第1の上りサブフレームでSRSを送信する前に別のUEがチャネルのビジー／アイドル状態を検出するためのシンボルがあるかどうかにさらに依存しうる。第2のシンボル集合に含まれ、UE1によって第1の上りサブフレームでPUSCHを送信するのに使用されるシンボルは、第1の上りサブフレーム内の、UEおよび／または別のUEによってSRSを送信するのに使用されるシンボル、ならびに別のUEが第1の上りサブフレームでSRSを送信する前に別のUEがチャネルのビジー／アイドル状態を検出するためのシンボルを含まない。
【００９０】
したがって、UE1は、第1の上りサブフレームのためにアクセス・ネットワーク・デバイスによって送信された信号送信指示情報に基づいて、第2のシンボル集合に含まれる、第1の上りサブフレームでPUSCHを送信するためのシンボルを決定する必要がある。
【００９１】
（2）アクセス・ネットワーク・デバイスが、UE1を第1の上りサブフレームでSRSを送信するようにスケジュールし、第1の上りサブフレームの最後のシンボルを、UE2がチャネルのビジー／アイドル状態を検出するための時間として予約する必要がある場合、UE1は、第1の上りサブフレームでSRSを送信するために第1の上りサブフレームの最後のシンボルを占有することができない。アクセス・ネットワーク・デバイスは、UE1に第1の上りサブフレームの信号送信指示情報を送信し、信号送信指示情報に基づいて、UE1に、第1の上りサブフレームの最後のシンボル以外のシンボルのうちの1つでSRSを送信するよう命令する。
【００９２】
第1の上りサブフレームの最後のシンボルを、UE2がチャネルのビジー／アイドル状態を検出するための時間として予約する必要がない場合、UE1は、第1の上りサブフレームでPUSCHを送信するために第1の上りサブフレームの最後のシンボルを占有しうる。アクセス・ネットワーク・デバイスは、UE1に第1の上りサブフレームの信号送信指示情報を送信し、信号送信指示情報に基づいて、UE1に、第1の上りサブフレームの最後のシンボルでSRSを送信するよう命令する。
【００９３】
したがって、UE1は、第1の上りサブフレームのためにアクセス・ネットワーク・デバイスによって送信された信号送信指示情報に基づいて、第1の上りサブフレームでSRSを送信するための第1のシンボルを決定する必要がある。
【００９４】
（3）アクセス・ネットワーク・デバイスが、UE1を第1の上りサブフレームでPUSCHとSRSの両方を送信するようにスケジュールする場合、第2のシンボル集合に含まれ、UE1によって第1の上りサブフレームでPUSCHを送信するのに使用されるシンボルは、UE2がチャネルのビジー／アイドル状態を検出するために第1の上りサブフレームで時間が予約されるかどうかに影響され、第1の上りサブフレームでSRSを送信するための第1のシンボルの位置および別のUEが第1の上りサブフレームでSRSを送信する前に別のUEがチャネルのビジー／アイドル状態を検出するためのシンボルの位置に影響される。
【００９５】
したがって、UE1は、第1の上りサブフレームのためにアクセス・ネットワーク・デバイスによって送信された信号送信指示情報に基づいて、第1の上りサブフレームでSRSを送信するための第1のシンボル、および第2のシンボル集合に含まれる、第1の上りサブフレームでPUSCHを送信するためのシンボルを決定する必要がある。
【００９６】
本発明の本実施形態では、アクセス・ネットワーク・デバイスが、UE1を第1の上りサブフレームでPUSCHおよび／またはSRSを送信するようにスケジュールする必要があり、UE2を第1の上りサブフレームでSRSを送信するがPUSCHを送信しないようにスケジュールする必要がある場合、UE2を第1の上りサブフレームでSRSを送信するようにスケジュールする前に、アクセス・ネットワーク・デバイスは、UE2がSRSを送信する前にUE2がチャネルのビジー／アイドル状態を検出するために第1の上りサブフレーム内の時間を予約する必要がある。UE2が第1のサブフレームでSRSを送信する前にUE2がチャネルのビジー／アイドル状態を検出するために第1の上りサブフレームで時間が予約されるかどうかは、第1の上りサブフレームでPUSCHおよび／またはSRSを送信するためにUE1によって占有されるシンボルの長さおよび／または位置に影響を及ぼす。
【００９７】
UE1は、アクセス・ネットワーク・デバイスが、UE2を第1の上りサブフレームでSRSを送信するようにスケジュールするかどうか、およびUEまたは別のUEがチャネルのビジー／アイドル状態を検出するための第1の上りサブフレームのシンボルがあるかどうかを知ることができないため、UE1は、第1の上りサブフレームのためにアクセス・ネットワーク・デバイスによって送信された信号送信指示情報に基づいて、第2のシンボル集合に含まれる、第1の上りサブフレームでPUSCHを送信するためのシンボルおよび／または第1の上りサブフレームでSRSを送信するための第1のシンボルを決定する必要がある。
【００９８】
さらに、UE1が第1の上りサブフレームでデータを送信する前にUE1がチャネルのビジー／アイドル状態を検出するためにアクセス・ネットワーク・デバイスによってスケジュールされる位置は、第1の上りサブフレームの1番目のシンボルである場合があり、第1の上りサブフレームの1番目のシンボルが、UE1がチャネルのビジー／アイドル状態を検出するための時間として予約されるかどうかは、第1の上りサブフレームでPUSCHおよび／またはSRSを送信するためにUE1以外のUEによって占有されるシンボルの長さおよび／または位置に影響を及ぼす。UE1以外のUEは、アクセス・ネットワーク・デバイスが、UE1を第1の上りサブフレームでデータを送信するようにスケジュールするかどうか、およびアクセス・ネットワーク・デバイスが、UE1がデータを送信する前にUE1がチャネルのビジー／アイドル状態を検出するために第1の上りサブフレーム内の時間を予約するかどうかを知ることができないため、UE1以外のUEは、第1の上りサブフレームのためにアクセス・ネットワーク・デバイスによって送信された信号送信指示情報に基づいて、第2のシンボル集合に含まれる、第1の上りサブフレームでPUSCHを送信するためのシンボル、および／または第1の上りサブフレームでSRSを送信するための第1のシンボルを決定する必要がある。
【００９９】
図3を例にとると、アクセス・ネットワーク・デバイスが、UE2を第2の上りサブフレームでデータを送信するようにスケジュールし、第1の上りサブフレームの最後のシンボルをUE2がチャネルのビジー／アイドル状態を検出するための時間として予約する必要がある場合、アクセス・ネットワーク・デバイスは、UE1に第1の上りサブフレームの信号送信指示情報を送信する。信号送信指示情報は、UE1に、第1の上りサブフレームの最後から2番目のシンボルでSRSを送信するよう命令しうる。当然ながら、信号送信指示情報はまた、UE1に、第1の上りサブフレームの最後のシンボルおよび最後から2番目のシンボル以外のシンボルでPUSCHを送信するよう命令し、またはUE1に、第1の上りサブフレームの最後のシンボルおよび最後から2番目のシンボル以外のシンボルでPUSCHを送信し、最後から2番目のシンボルでSRSを送信するよう命令してもよい。
【０１００】
ステップ202：UEは、第1の上りサブフレームのためにアクセス・ネットワーク・デバイスによって送信された信号送信指示情報を受信する。
【０１０１】
実施において、UEは、第1の上りサブフレームのためにアクセス・ネットワーク・デバイスによって送信された信号送信指示情報を取得し、信号送信指示情報は、UEに、上りサブフレームの第1のシンボルでSRSを送信するよう命令するのに使用される指示情報、および／またはUEに、上りサブフレームの第2のシンボル集合に含まれるシンボルでPUSCHを送信するよう命令するのに使用される指示情報である。
【０１０２】
好ましくは、アクセス・ネットワーク・デバイスは、物理層チャネル情報を使用してUE1に上りサブフレームの信号送信指示情報を送信する。例えば、アクセス・ネットワーク・デバイスは、物理下り制御チャネルまたはEPDCCHを使用して信号送信指示情報を送信する。
【０１０３】
任意選択で、UEは、第1の構成情報を決定し、第1の構成情報は、第1のシンボル集合および／もしくは候補シンボル集合グループの指示情報を含む。UEが上りサブフレームでSRSを送信するための、上りサブフレームのためにアクセス・ネットワーク・デバイスによって送信された信号送信指示情報によって指示される、第1のシンボルは、第1の構成情報における第1のシンボル集合内のシンボルであり、かつ／またはUEが上りサブフレームでPUSCHを送信するための、上りサブフレームのためにアクセス・ネットワーク・デバイスによって送信された信号送信指示情報によって指示される、第2のシンボル集合は、第1の構成情報における候補シンボル集合グループ内の集合である。
【０１０４】
UEは、上りサブフレームの信号送信指示情報に基づいて、第1の構成情報に含まれる第1のシンボル集合内の第1のシンボルを決定し、かつ／または上りサブフレームの信号送信指示情報に基づいて、第1の構成情報に含まれる候補シンボル集合グループ内の第2のシンボル集合を決定する。
【０１０５】
実施において、UEが第1の構成情報を決定するための方法は、以下の2つの方法を含むがこれらに限定されない。
【０１０６】
第1に、UEは、アクセス・ネットワーク・デバイスによって送信された第1の構成情報を受信する。
【０１０７】
第2に、UEは、信号送信指示情報に基づいて上りサブフレームの種類を決定し、上りサブフレームの種類と第1の構成情報との間の事前設定対応関係に基づいて上りサブフレームの種類に対応する第1の構成情報を決定する。具体的には、上りサブフレームの種類には、SRSを送信するための種類と、SRSを送信するためではない種類の2つが含まれうる。
【０１０８】
例えば、上りサブフレームの種類と第1の構成情報との間の事前設定対応関係は、以下のとおりである。上りサブフレームの種類がSRSを送信するための種類である場合、第1の構成情報は、第1のシンボル集合は｛候補シンボルA1，候補シンボルB1，．．．，および候補シンボルN1｝を含む、ならびに／または候補シンボル集合グループは、｛（シンボルP1，シンボルP2，．．．）を含む候補シンボル集合O1，（シンボルQ1，シンボルQ2，．．．）を含む候補シンボル集合O2，および（シンボルR1，シンボルR2，．．．）を含む候補シンボル集合O3｝を含む、である。
【０１０９】
上りサブフレームの種類がSRSを送信するためではない種類である場合、第1の構成情報は、第1のシンボル集合は空集合であり、候補シンボル集合グループは、｛（シンボルU1，シンボルU2，．．．）を含む候補シンボル集合X1，（シンボルV1，シンボルV2，．．．）を含む候補シンボル集合X2，および（シンボルW1，シンボルW2，．．．）を含む候補シンボル集合X3｝を含む、である。
【０１１０】
｛（シンボルP1，シンボルP2，．．．）を含む候補シンボル集合O1，（シンボルQ1，シンボルQ2，．．．）を含む候補シンボル集合O2，（シンボルR1，シンボルR2，．．．）を含む候補シンボル集合O3｝は、｛（シンボルU1，シンボルU2，．．．）を含む候補シンボル集合X1，（シンボルV1，シンボルV2，．．．）を含む候補シンボル集合X2，および（シンボルW1，シンボルW2，．．．）を含む候補シンボル集合X3｝とは異なる。
【０１１１】
上りサブフレームの種類を決定した後、UEは、上りサブフレームの種類と第1の構成情報との間の事前設定対応関係に基づいて上りサブフレームに対応する第1の構成情報を決定する。
【０１１２】
ステップ203：UEは、信号送信指示情報に基づいて上りサブフレームでSRSおよび／またはPUSCHを送信する。
【０１１３】
実施において、UEは、信号送信指示情報に基づいて上りサブフレームの第1のシンボルでSRSを送信し、かつ／または上りサブフレームの第2のシンボル集合に含まれるシンボルでPUSCHを送信する。
【０１１４】
実施において、UEが上りサブフレームの第1のシンボルでSRSを送信する前に、UEが上りサブフレームの第1のシンボルでチャネルのビジー／アイドル状態を判断する必要がなく、UEが、信号送信指示情報は上りサブフレームの第1のシンボルでSRSを送信するよう命令していると判断した場合、UEは、上りサブフレームの第1のシンボルでSRSを送信し、またはUEが、信号送信指示情報は上りサブフレームの第1のシンボルでSRSを送信しないよう命令していると判断した場合、UEは上りサブフレームでSRSを送信しない。
【０１１５】
UEが上りサブフレームの第1のシンボルでSRSを送信する前に、UEが上りサブフレームの第1のシンボルでチャネルのビジー／アイドル状態を判断する必要がある場合、UEは、チャネルのビジー／アイドル状態の判断結果に基づいて、上りサブフレームの第1のシンボルでSRSを送信すべきかどうか判断する。具体的には、UEが、信号送信指示情報は上りサブフレームの第1のシンボルでSRSを送信するよう命令していると判断し、上りサブフレームの第1のシンボルのチャネルはアイドル状態であると判断した場合、UEは上りサブフレームの第1のシンボルでSRSを送信し、そうでない場合、UEは上りサブフレームの第1のシンボルでSRSを送信しない。
【０１１６】
例えば、第1のシンボルが上りサブフレームの最後から2番目のシンボルであると仮定すると、UEは、上りサブフレームの信号送信指示情報は上りサブフレームの第1のシンボルでSRSを送信するよう命令していると判断し、UEは、上りサブフレームの第1のシンボルでチャネルのビジー／アイドル状態を判断する必要がある。UEは、以下の2つの方法で上りサブフレームの第1のシンボルでSRSを送信すべきかどうか判断しうる。
【０１１７】
第1に、図4に示すように、上りサブフレームの最後から2番目のシンボルが到着する前に、UEは、最後から2番目のシンボルでチャネルのビジー／アイドル状態をリッスンする。リッスンした結果、上りサブフレームの最後から2番目のシンボルのチャネルがアイドル状態である場合、UEは上りサブフレームの最後から2番目のシンボルでSRSを送信し、またはリッスンした結果、上りサブフレームの最後から2番目のシンボルのチャネルがアイドル状態でない場合、UEは上りサブフレームでSRSを送信しない。
【０１１８】
第2に、図5に示すように、UEが上りサブフレームの最後から2番目のシンボルの前のシンボルのチャネルでPUSCHまたは別の上りチャネルを送信する場合、UEは、上りサブフレームの最後から2番目のシンボルのチャネルがアイドル状態であると判断し、UEは、上りサブフレームの最後から2番目のシンボルでSRSを送信する。UEが、PUSCHまたは別の上りチャネルを送信するために上りサブフレームの最後から2番目のシンボルの前のチャネルを占有しない場合、UEは、上りサブフレームの最後から2番目のシンボルの前のシンボルでチャネルのビジー／アイドル状態をリッスンし、リッスンした結果に基づいて、上りサブフレームの最後から2番目のシンボルでSRSをすべきかどうか判断する。リッスンした結果、上りサブフレームの最後から2番目のシンボルのチャネルがアイドル状態である場合、UEは上りサブフレームの最後から2番目のシンボルでSRSを送信し、またはリッスンした結果、上りサブフレームの最後から2番目のシンボルのチャネルがアイドル状態でない場合、UEは上りサブフレームでSRSを送信しない。
【０１１９】
ステップ204：アクセス・ネットワーク・デバイスは、信号送信指示情報に基づいて上りサブフレームでUEによって送信されたSRSおよび／またはPUSCHを受信する。
【０１２０】
実施において、アクセス・ネットワーク・デバイスは、上りサブフレームの第1のシンボルでSRSを受信し、かつ／または上りサブフレームの第2のシンボル集合に含まれるシンボルでPUSCHを受信する。
【０１２１】
実施において、第1のシンボルは、第1のシンボル集合に含まれる任意の候補シンボルであり、第1のシンボル集合は、
上りサブフレームの1番目のシンボルである第1の候補シンボル、
上りサブフレームの2番目のシンボルである第2の候補シンボル、
上りサブフレームの最後のシンボルである第3の候補シンボル、
上りサブフレームの最後から2番目のシンボルである第4の候補シンボル、
上りサブフレームの1番目のタイムスロットにおけるDMRSに対応するシンボルである第5の候補シンボル、
上りサブフレームの2番目のタイムスロットにおけるDMRSに対応するシンボルである第6の候補シンボル、および
上りサブフレームの1番目のタイムスロットにおける最後のシンボルである第7の候補シンボル
の各候補シンボルのうちの少なくとも1つを含む。
【０１２２】
実施において、第2のシンボル集合は、候補シンボル集合グループ内の集合であり、候補シンボル集合グループ内の各候補シンボル集合に含まれるシンボルは、K個の連続したシンボルである。例えば、Kの値は、11、12、13、または14である。
【０１２３】
実施において、候補シンボル集合グループは、
上りサブフレームの1番目のシンボルから最後から4番目のシンボルまでからなる第1の候補シンボル集合、
上りサブフレームの2番目のシンボルから最後から3番目のシンボルまでからなる第2の候補シンボル集合、
上りサブフレームの3番目のシンボルから最後から2番目のシンボルまでからなる第3の候補シンボル集合、
上りサブフレームの4番目のシンボルから最後のシンボルまでからなる第4の候補シンボル集合、
上りサブフレームの1番目のシンボルから最後から3番目のシンボルまでからなる第5の候補シンボル集合、
上りサブフレームの2番目のシンボルから最後から2番目のシンボルまでからなる第6の候補シンボル集合、
上りサブフレームの3番目のシンボルから最後のシンボルまでからなる第7の候補シンボル集合、
上りサブフレームの1番目のシンボルから最後から2番目のシンボルまでからなる第8の候補シンボル集合、
上りサブフレームの2番目のシンボルから最後のシンボルまでからなる第9の候補シンボル集合、および
上りサブフレームのすべてのシンボルからなる第10の候補シンボル集合、
の各候補シンボル集合のうちの少なくとも1つを含む。
【０１２４】
通常のサイクリックプレフィックスのシナリオでは、最後から4番目のシンボルは11番目のシンボルであり、最後から3番目のシンボルは12番目のシンボルであり、最後から2番目のシンボルは13番目のシンボルであり、最後のシンボルは14番目のシンボルである。
【０１２５】
実施において、K1＝14，K2＝13，K3＝12，およびK4＝11であると仮定すると、第1のシンボルと第2のシンボル集合との組み合わせ方法は、以下のとおりである。
第1のシンボルが第1の候補シンボルである場合、第2のシンボル集合は、候補シンボル集合グループに含まれ、そのシンボルがK2個の連続したシンボルである候補シンボル集合であり、もしくは第2のシンボル集合は、候補シンボル集合グループに含まれ、そのシンボルがK3個の連続したシンボルである候補シンボル集合であり、もしくは第2のシンボル集合は、候補シンボル集合グループに含まれ、そのシンボルがK4個の連続したシンボルである候補シンボル集合であり、かつ／または
第1のシンボルが第2の候補シンボルである場合、第2のシンボル集合は、候補シンボル集合グループに含まれ、そのシンボルがK3個の連続したシンボルである候補シンボル集合であり、もしくは第2のシンボル集合は、候補シンボル集合グループに含まれ、そのシンボルがK4個の連続したシンボルである候補シンボル集合であり、かつ／または
第1のシンボルが第3の候補シンボルである場合、第2のシンボル集合は、候補シンボル集合グループに含まれ、そのシンボルがK2個の連続したシンボルである候補シンボル集合であり、もしくは第2のシンボル集合は、候補シンボル集合グループに含まれ、そのシンボルがK3個の連続したシンボルである候補シンボル集合であり、もしくは第2のシンボル集合は、候補シンボル集合グループに含まれ、そのシンボルがK4個の連続したシンボルである候補シンボル集合であり、かつ／または
第1のシンボルが第4の候補シンボルである場合、第2のシンボル集合は、候補シンボル集合グループに含まれ、そのシンボルがK3個の連続したシンボルである候補シンボル集合であり、もしくは第2のシンボル集合は、候補シンボル集合グループに含まれ、そのシンボルがK4個の連続したシンボルである候補シンボル集合である。
【０１２６】
実施において、第1のシンボルと第2のシンボル集合との好ましい組み合わせ方法は、以下を含むがこれらに限定されない。
第1のシンボルが第1の候補シンボルである場合、第2のシンボル集合は、第3の候補シンボル集合、第6の候補シンボル集合、第7の候補シンボル集合、および第9の候補シンボル集合のうちのいずれか1つであり、かつ／または
第1のシンボルが第2の候補シンボルである場合、第2のシンボル集合は、第7の候補シンボル集合および第4の候補シンボル集合のどちらかであり、かつ／または
第1のシンボルが第3の候補シンボルである場合、第2のシンボル集合は、第2の候補シンボル集合、第5の候補シンボル集合、第6の候補シンボル集合、および第8の候補シンボル集合のうちの1つであり、かつ／または
第1のシンボルが第4の候補シンボルである場合、第2のシンボル集合は、第1の候補シンボル集合および第5の候補シンボル集合のどちらかである。
【０１２７】
上りサブフレームの第1のシンボルと第2のシンボル集合との間の関係について、以下でいくつかの具体例を使用して説明する。
【０１２８】
第1の具体的な実施形態
【０１２９】
アクセス・ネットワーク・デバイスは、UEを上りサブフレームでSRSを送信するようスケジュールする必要がない。
【０１３０】
加えて、アクセス・ネットワーク・デバイスは、次の上りサブフレームで上りデータが送信される前に上りサブフレームでチャネルのビジー／アイドル状態を検出するために上りサブフレーム内の時間を予約する必要がある場合、第2のシンボル集合は、上りサブフレームの1番目のシンボルから最後から2番目のシンボルまで、すなわち、候補シンボル集合グループ内の第8の候補シンボル集合を含むと判断されうる。図6aに示すように、上りサブフレームの4番目のシンボルおよび最後から4番目シンボルはDMRSを送信するのに使用され、上りサブフレームの最後のシンボルは次のサブフレームのCCA検出に使用される。
【０１３１】
あるいは、アクセス・ネットワーク・デバイスは、上りサブフレームを占有するUEが、上りサブフレームでチャネルのビジー／アイドル状態を検出するための上りサブフレーム内の時間を予約する必要があり、別のUEがSRSを送信する前に別のUEがチャネルのビジー／アイドル状態を検出するための上りサブフレーム内の時間を予約し、別のUEがSRSを送信するための時間を予約する必要がある場合、第2のシンボル集合は、上りサブフレームの1番目のシンボルから最後から4番目のシンボルまで、すなわち、候補シンボル集合グループ内の第1の候補シンボル集合からなると判断されうる。図6bに示すように、上りサブフレームの4番目のシンボルおよび最後から4番目シンボルはDMRSを送信するのに使用され、上りサブフレームの最後のシンボルは次のサブフレームのCCA検出に使用され、上りサブフレームの最後から3番目のシンボルは別のUEによるCCA検出に使用され、上りサブフレームの最後から2番目のシンボルは別のUEによってSRSの送信に使用される。
【０１３２】
あるいは、アクセス・ネットワーク・デバイスは、上りサブフレームを占有するUEが、上りサブフレームでチャネルのビジー／アイドル状態を検出するための上りサブフレーム内の時間を予約する必要がない場合、第2のシンボル集合は、上りサブフレーム内のすべてのシンボル、すなわち、候補シンボル集合グループの第10の候補シンボル集合を含むと判断されうる。図6cに示すように、上りサブフレームの4番目のシンボルおよび最後から4番目シンボルはDMRSを送信するのに使用され、次のフレームのCCA検出のための上りサブフレームにおけるシンボルの位置。
【０１３３】
あるいは、アクセス・ネットワーク・デバイスは、上りサブフレームを占有するUEが、上りサブフレームでチャネルのビジー／アイドル状態を検出するための上りサブフレーム内の時間を予約する必要はないが、別のUEがSRSを送信する前に別のUEがチャネルのビジー／アイドル状態を検出するための上りサブフレーム内の時間を予約し、別のUEがSRSを送信するための時間を予約する必要がある場合、第2のシンボル集合は、上りサブフレームの1番目のシンボルから最後から3番目のシンボルまで、すなわち、候補シンボル集合グループ内の第5の候補シンボル集合を含むと判断されうる。図6dに示すように、上りサブフレームの4番目のシンボルおよび最後から4番目シンボルはDMRSを送信するのに使用され、次のフレームのCCA検出のための上りサブフレームにおけるシンボルの位置を予約する必要はないが、別のUEがSRSを送信する前の別のUEによるCCA検出のために上りサブフレームでシンボルの位置が予約される。
【０１３４】
あるいは、アクセス・ネットワーク・デバイスは、別のUEがSRSを送信する前に別のUEがチャネルのビジー／アイドル状態を検出するための上りサブフレーム内の時間を予約し、別のUEがSRSを送信するための時間を予約する必要がある場合、第2のシンボル集合は、上りサブフレームの3番目のシンボルから最後のシンボルまで、すなわち、候補シンボル集合グループ内の第7の候補シンボル集合を含むと判断されうる。図6eに示すように、上りサブフレームの4番目のシンボルおよび最後から4番目シンボルはDMRSを送信するのに使用され、上りサブフレームの1番目のシンボルは別のUEによってSRSの送信に使用される。
【０１３５】
あるいは、アクセス・ネットワーク・デバイスは、上りデータが送信される前に上りサブフレームでチャネルのビジー／アイドル状態を検出するために上りサブフレーム内の時間を予約する必要がある場合、第2のシンボル集合は、上りサブフレームの2番目のシンボルから最後のシンボルまで、すなわち、候補シンボル集合グループ内の第7の候補シンボル集合を含むと判断されうる。図6fに示すように、上りサブフレームの4番目のシンボルおよび最後から4番目シンボルはDMRSを送信するのに使用され、上りサブフレームの1番目のシンボルはCCA検出に使用される。
【０１３６】
あるいは、アクセス・ネットワーク・デバイスは、別のUEが上りサブフレームでチャネルのビジー／アイドル状態を検出するために上りサブフレーム内の時間を予約する必要があり、別のUEがSRSを送信する前に別のUEがチャネルのビジー／アイドル状態を検出するための上りサブフレーム内の時間を予約し、別のUEがSRSを送信するための時間を予約する必要がある場合、第2のシンボル集合は、上りサブフレームの3番目のシンボルから最後から2番目のシンボルまで、すなわち、候補シンボル集合グループ内の第3の候補シンボル集合を含むと判断されうる。図6gに示すように、上りサブフレームの4番目のシンボルおよび最後から4番目シンボルはDMRSを送信するのに使用され、上りサブフレームの1番目のシンボルは別のUEによってSRSの送信に使用され、上りサブフレームの2番目のシンボルは別のUEによるCCA検出に使用され、上りサブフレームの最後のシンボルは次のサブフレームのCCA検出に使用される。
【０１３７】
あるいは、アクセス・ネットワーク・デバイスは、別のUEが上りサブフレームでチャネルのビジー／アイドル状態を検出するために上りサブフレーム内の時間を予約する必要があり、別のUEがSRSを送信する前に別のUEがチャネルのビジー／アイドル状態を検出するための上りサブフレーム内の時間を予約する必要がある場合、第2のシンボル集合は、上りサブフレームの2番目のシンボルから最後から2番目のシンボルまで、すなわち、候補シンボル集合グループ内の第6の候補シンボル集合を含むと判断されうる。図6hに示すように、上りサブフレームの4番目のシンボルおよび最後から4番目シンボルはDMRSを送信するのに使用され、上りサブフレームの1番目のシンボルは別のUEによってSRSの送信に使用され、上りサブフレームの最後のシンボルは次のサブフレームのCCA検出に使用される。
【０１３８】
あるいは、アクセス・ネットワーク・デバイスは、上りサブフレームでチャネルのビジー／アイドル状態を検出するために上りサブフレーム内の時間を予約する必要があり、別のUEがSRSを送信する前に別のUEがチャネルのビジー／アイドル状態を検出するための上りサブフレーム内の時間を予約し、別のUEがSRSを送信するための時間を予約する必要がある場合、第2のシンボル集合は、上りサブフレームの2番目のシンボルから最後から3番目のシンボルまで、すなわち、候補シンボル集合グループ内の第2の候補シンボル集合を含むと判断されうる。図6kに示すように、上りサブフレームの4番目のシンボルおよび最後から4番目シンボルはDMRSを送信するのに使用され、上りサブフレームの1番目のシンボルはチャネルのビジー／アイドル状態を検出するのに使用され、上りサブフレームの最後から2番目のシンボルは、別のUEがSRSを送信する前の別のUEによるCCA検出に使用され、上りサブフレームの最後のシンボルは別のUEによってSRSの送信に使用される。
【０１３９】
あるいは、アクセス・ネットワーク・デバイスは、上りサブフレームでチャネルのビジー／アイドル状態を検出するために上りサブフレーム内の時間を予約する必要があり、別のUEがSRSを送信する前に別のUEがチャネルのビジー／アイドル状態を検出するための上りサブフレーム内の時間を予約し、別のUEがSRSを送信するための時間を予約する必要がある場合、第2のシンボル集合は、上りサブフレームの4番目のシンボルから最後のシンボルまで、すなわち、候補シンボル集合グループ内の第4の候補シンボル集合を含むと判断されうる。図6mに示すように、上りサブフレームの4番目のシンボルおよび最後から4番目シンボルはDMRSを送信するのに使用され、上りサブフレームの2番目のシンボルは、別のUEがSRSを送信する前の別のUEによるCCA検出に使用され、上りサブフレームの最後のシンボルは別のUEによってSRSの送信に使用され、上りサブフレームの3番目のシンボルはCCA検出に使用される。
【０１４０】
第2の具体的な実施形態、上りサブフレームのチャネル分配が、図7a、図7b、図7c、および図7dに示されている。
【０１４１】
アクセス・ネットワーク・デバイスは、UEを上りサブフレームの1番目のシンボルでSRSを送信するようスケジュールする必要があり、第1のシンボルは、上りサブフレームの1番目のシンボル、すなわち、第1のシンボル集合内の第1の候補シンボルであると判断しうる。
【０１４２】
加えて、アクセス・ネットワーク・デバイスは、チャネルのビジー／アイドル状態を検出するために上りサブフレーム内の時間を予約する必要がある場合、第2のシンボル集合は、上りサブフレームの2番目のシンボルから最後から2番目のシンボルまで、すなわち、候補シンボル集合グループ内の第6の候補シンボル集合を含むと判断されうる。図7aに示すように、上りサブフレームの4番目のシンボルおよび最後から4番目シンボルはDMRSを送信するのに使用され、上りサブフレームの最後のシンボルはCCA検出に使用される。
【０１４３】
あるいは、アクセス・ネットワーク・デバイスは、チャネルのビジー／アイドル状態を検出するために上りサブフレーム内の時間を予約する必要がない場合、第2のシンボル集合は、上りサブフレームの2番目のシンボルから最後のシンボルまで、すなわち、候補シンボル集合グループ内の第9の候補シンボル集合を含むと判断されうる。図7bに示すように、上りサブフレームの4番目のシンボルおよび最後から4番目シンボルはDMRSを送信するのに使用され、CCA検出のための上りサブフレームにおけるシンボルの位置を予約する必要はない。
【０１４４】
あるいは、アクセス・ネットワーク・デバイスは、チャネルのビジー／アイドル状態を検出するために上りサブフレーム内の時間を予約する必要があり、別のUEがSRSを送信する前に別のUEがチャネルのビジー／アイドル状態を検出するための上りサブフレーム内の時間を予約する必要がある場合、第2のシンボル集合は、上りサブフレームの3番目のシンボルから最後から2番目のシンボルまで、すなわち、候補シンボル集合グループ内の第3の候補シンボル集合を含むと判断されうる。図7cに示すように、上りサブフレームの4番目のシンボルおよび最後から4番目シンボルはDMRSを送信するのに使用され、上りサブフレームの2番目のシンボルは別のUEによるCCA検出に使用され、上りサブフレームの最後のシンボルは次のサブフレームのCCA検出に使用される。
【０１４５】
あるいは、アクセス・ネットワーク・デバイスは、チャネルのビジー／アイドル状態を検出するために上りサブフレーム内の時間を予約する必要があるが、別のUEがSRSを送信する前に別のUEがチャネルのビジー／アイドル状態を検出するための上りサブフレーム内の時間を予約する必要がない場合、第2のシンボル集合は、上りサブフレームの3番目のシンボルから最後のシンボルまで、すなわち、候補シンボル集合グループ内の第7の候補シンボル集合を含むと判断されうる。図7dに示すように、上りサブフレームの4番目のシンボルおよび最後から4番目シンボルはDMRSを送信するのに使用され、上りサブフレームの2番目のシンボルは別のUEによるCCA検出に使用される。
【０１４６】
第3の具体的な実施形態
【０１４７】
アクセス・ネットワーク・デバイスは、UEを上りサブフレームの2番目のシンボルでSRSを送信するようスケジュールする必要があり、第1のシンボルは、上りサブフレームの2番目のシンボル、すなわち、第1のシンボル集合内の第2の候補シンボルであると判断されうる。
【０１４８】
加えて、上りサブフレームのチャネル分配が図8に示されており、アクセス・ネットワーク・デバイスは、上りサブフレームを占有するUEが、上りサブフレームでチャネルのビジー／アイドル状態を検出するための上りサブフレーム内の時間を予約する必要がある場合、第2のシンボル集合は、上りサブフレームの3番目のシンボルから最後のシンボルまで、すなわち、候補シンボル集合グループ内の第7の候補シンボル集合を含むと判断されうる。上りサブフレームの4番目のシンボルおよび最後から4番目シンボルはDMRSを送信するのに使用され、上りサブフレームの1番目のシンボルはCCA検出に使用される。
【０１４９】
あるいは、上りサブフレームのチャネル分配が図9に示されており、アクセス・ネットワーク・デバイスは、上りサブフレームを占有してSRSを送信するUEが、チャネルのビジー／アイドル状態を検出するための上りサブフレーム内の時間を予約する必要があり、上りサブフレームを占有してデータを送信するUEが、チャネルのビジー／アイドル状態を検出するための上りサブフレーム内の時間を予約する必要がある場合、第2のシンボル集合は、上りサブフレームの4番目のシンボルから最後のシンボルまで、すなわち、候補シンボル集合グループ内の第4の候補シンボル集合を含むと判断されうる。上りサブフレームの4番目のシンボルおよび最後から4番目シンボルはDMRSを送信するのに使用され、上りサブフレームの1番目のシンボルは、SRSを送信するUEによるCCA検出に使用され、上りサブフレームの3番目のシンボルは、上りサブフレームでデータを送信するUEによるCCA検出に使用される。
【０１５０】
第4の具体的な実施形態、上りサブフレームのチャネル分配が、図10a、図10b、図10c、および図10dに示されている。
【０１５１】
アクセス・ネットワーク・デバイスは、UEを上りサブフレームの最後のシンボルでSRSを送信するようスケジュールする必要がある場合、第1のシンボルは第1のシンボル集合内の第3の候補シンボルである、言い換えれば、第1のシンボルは上りサブフレームの2番目のタイムスロットの最後のシンボルであると判断される。
【０１５２】
加えて、アクセス・ネットワーク・デバイスは、CCD検出のためにUEまたは別のUEに上りサブフレーム内の時間を予約すえる必要がなく、別のUEがSRSを送信する前に別のUEがチャネルのビジー／アイドル状態を検出するための上りサブフレーム内の時間を予約する必要がない場合、第2のシンボル集合は、候補シンボル集合グループ内の第8の候補シンボル集合であると判断されうる。第8の候補シンボル集合は、上りサブフレームの1番目のシンボルから最後から2番目のシンボルまでからなる。図10aに示すように、上りサブフレームの4番目のシンボルおよび最後から4番目シンボルはDMRSを送信するのに使用され、次のフレームのCCA検出のための上りサブフレームにおけるシンボルの位置を予約する必要はない。
【０１５３】
あるいは、アクセス・ネットワーク・デバイスは、上りサブフレームを占有するUEが、上りサブフレームでチャネルのビジー／アイドル状態を検出するための上りサブフレーム内の時間を予約する必要があり、別のUEがSRSを送信する前に別のUEが上りサブフレームでチャネルのビジー／アイドル状態を検出するための上りサブフレーム内の時間を予約する必要がある場合、第2のシンボル集合は、候補シンボル集合グループ内の第2の候補シンボル集合であると判断されうる。第2の候補シンボル集合は、上りサブフレームの2番目のシンボルから最後から3番目のシンボルまでからなる。図10bに示すように、上りサブフレームの4番目のシンボルおよび最後から4番目シンボルはDMRSを送信するのに使用され、上りサブフレームの1番目のシンボルは、上りサブフレームを占有するUEが上りサブフレームでチャネルのビジー／アイドル状態を検出するための時間であり、上りサブフレームの最後から2番目のシンボルは、上りサブフレームを占有する別のUEが、別のUEがSRSを送信する前に上りサブフレームでチャネルのビジー／アイドル状態を検出するための時間であり、次のフレームのCCA検出のための上りサブフレームにおけるシンボルの位置を予約する必要はない。
【０１５４】
あるいは、アクセス・ネットワーク・デバイスは、上りサブフレームを占有するUEが、上りサブフレームでチャネルのビジー／アイドル状態を検出するための上りサブフレーム内の時間を予約する必要があるが、別のUEがSRSを送信する前に別のUEがチャネルのビジー／アイドル状態を検出するための上りサブフレーム内の時間を予約する必要がない場合、第2のシンボル集合は、上りサブフレームの2番目のシンボルから最後から2番目のシンボルまで、すなわち、候補シンボル集合グループ内の第6の候補シンボル集合を含むと判断されうる。図10cに示すように、上りサブフレームの4番目のシンボルおよび最後から4番目シンボルはDMRSを送信するのに使用され、上りサブフレームの1番目のシンボルはCCA検出に使用される。
【０１５５】
あるいは、アクセス・ネットワーク・デバイスは、上りサブフレームを占有するUEが、上りサブフレームでチャネルのビジー／アイドル状態を検出するための上りサブフレーム内の時間を予約する必要がないが、別のUEがSRSを送信する前に別のUEが上りサブフレームでチャネルのビジー／アイドル状態を検出するための上りサブフレーム内の時間を予約する必要がある場合、第2のシンボル集合は、上りサブフレームの1番目のシンボルから最後から3番目のシンボルまで、すなわち、候補シンボル集合グループ内の第5の候補シンボル集合を含むと判断されうる。図10dに示すように、上りサブフレームの4番目のシンボルおよび最後から4番目シンボルはDMRSを送信するのに使用され、上りサブフレームの1番目のシンボルはCCA検出に使用される。
【０１５６】
第5の具体的な実施形態、上りサブフレームのチャネル分配が、図11aおよび図11bに示されている。
【０１５７】
アクセス・ネットワーク・デバイスは、UEを上りサブフレームの最後から2番目のシンボルでSRSを送信するようスケジュールし、CCA検出のためにUEまたは別のデバイスに上りサブフレームの最後のシンボルを予約する必要があり、アクセス・ネットワーク・デバイスは、第1のシンボル集合内の第4の候補シンボルを第1のシンボルとして決定しうる。言い換えれば、第1のシンボルは、上りサブフレームの最後から2番目のシンボルである。
【０１５８】
加えて、アクセス・ネットワーク・デバイスは、別のUEがSRSを送信する前に別のUEがチャネルのビジー／アイドル状態を検出するための上りサブフレーム内の時間を予約する必要がない場合、第2のシンボル集合は、候補シンボル集合グループ内の第5の候補シンボル集合であると判断されうる。第5の候補シンボル集合は、上りサブフレームの1番目のシンボルから最後から3番目のシンボルまでからなる。図11aに示すように、上りサブフレームの4番目のシンボルおよび最後から4番目シンボルはDMRSを送信するのに使用される。
【０１５９】
あるいは、アクセス・ネットワーク・デバイスは、別のUEがSRSを送信する前に別のUEがチャネルのビジー／アイドル状態を検出するための上りサブフレーム内の時間を予約する必要がある場合、第2のシンボル集合は、候補シンボル集合内の第1の候補シンボル集合であると判断されうる。第1の候補シンボル集合は、上りサブフレームの1番目のシンボルから最後から4番目のシンボルまでからなる。図11bに示すように、上りサブフレームの4番目のシンボルおよび最後から4番目シンボルはDMRSを送信するのに使用され、上りサブフレームの最後から3番目のシンボルは別のUEによるCCA検出に使用される。
【０１６０】
同じ発明概念に基づき、本発明の実施形態では、UE1が第1の上りサブフレームでSRSを送信するようにアクセス・ネットワーク・デバイスによってスケジュールされる第1のシンボルの位置は、別のUEが第2の上りサブフレームでデータを送信する前に別のUEがチャネルのビジー／アイドル状態を検出するための第1の上りサブフレーム内の時間を予約する必要があるかどうかに影響され、別のUEを第1の上りサブフレームでPUSCH／SRSを送信するようスケジュールする必要があるかどうかに影響される。UEについて、UEは、別のUEのアクセス・ネットワーク・デバイスの構成およびスケジューリング状態を知ることができないが、UEがPUSCHおよび／またはSRSを送信するための位置は別のUEによる影響を受け、データを送信するための各UEの時間および各UEが占有する位置を判断することができない。したがって、アクセス・ネットワーク・デバイスが、上り共有チャネルリソースを一元的に管理することは非常に複雑である。
【０１６１】
アクセス・ネットワーク・デバイスが、上り共有チャネルリソースを一元的に管理する際の複雑さを低減させるために、アクセス・ネットワーク・デバイスは、少なくとも2台のUEに送信される共通下り制御チャネルの同じ上りサブフレームで少なくとも2台のUEのSRS送信状態を指示し、同じ上りサブフレームまたは同じ上りサブフレームの同じシンボルで可能な限り多くのUEのSRSを一元的にスケジュールし、個々のUEがチャネルのビジー／アイドル状態を検出するための予約時間を減らして、上り共有チャネルリソースを一元的に管理する際の複雑さを低減させる。
【０１６２】
これに基づき、SRS伝送の具体的な実施態様が図12に示されており、詳細は以下のとおりである。
【０１６３】
ステップ1201：アクセス・ネットワーク・デバイスが、UEに上りサブフレームのSRS送信指示情報を送信する。
【０１６４】
SRS送信指示情報は、上りサブフレームでSRSを送信すべきかどうかに関する情報、および／または上りサブフレームの第1のシンボルでSRSを送信すべきかどうかに関する情報を含む。
【０１６５】
ステップ1202：UEは、第1の上りサブフレームのためにアクセス・ネットワーク・デバイスによって送信されたSRS送信指示情報を受信する。
【０１６６】
ステップ1203：UEは、上りサブフレームのSRS送信指示情報に基づいて、上りサブフレームでSRSを送信すべきかどうか判断する。
【０１６７】
具体的には、UEは、上りサブフレームのSRS送信指示情報に基づいて、上りサブフレームでSRSを送信せず、または上りサブフレームの第1のシンボルでSRSを送信する。
【０１６８】
ステップ1204：アクセス・ネットワーク・デバイスは、上りサブフレームのUEのためのSRS送信指示情報に基づいて上りサブフレームでUEの上り信号を受信する。
【０１６９】
具体的には、上りサブフレームのSRS送信指示情報が上りサブフレームの第1のシンボルでSRSを送信するよう命令している場合、アクセス・ネットワーク・デバイスは、上りサブフレームの第1のシンボルでSRSを受信し、そうでない場合、アクセス・ネットワーク・デバイスは上りサブフレームでSRSを受信しない。
【０１７０】
具体的には、第1のシンボルは第1のシンボル集合に含まれる任意の候補シンボルであり、第1のシンボル集合は、
上りサブフレームの1番目のシンボルである第1の候補シンボル、
上りサブフレームの2番目のシンボルである第2の候補シンボル、
上りサブフレームの最後のシンボルである第3の候補シンボル、
上りサブフレームの最後から2番目のシンボルである第4の候補シンボル、
上りサブフレームの1番目のタイムスロットにおけるDMRSに対応するシンボルである第5の候補シンボル、
上りサブフレームの2番目のタイムスロットにおけるDMRSに対応するシンボルである第6の候補シンボル、および
上りサブフレームの1番目のタイムスロットにおける最後のシンボルである第7の候補シンボル
の各候補シンボルのうちの少なくとも1つを含む。
【０１７１】
具体的には、上りサブフレームのSRS送信指示情報は、アクセス・ネットワーク・デバイスによって少なくとも2台のUEに送信される共通下り制御チャネル上の情報に属する。
【０１７２】
共通下り制御チャネルは、
物理下り制御チャネルの共通探索空間で送信される物理下り制御チャネル、
エンハンスト物理下り制御チャネルの共通探索空間で送信されるエンハンスト物理下り制御チャネル、
ハイブリッド自動再送指示物理チャネルのリソースで送信される共通下り制御チャネル、
物理制御フォーマット指示チャネルのリソースで送信される共通下り制御チャネル
のうちのいずれか1つである。
【０１７３】
具体的には、共通下り制御チャネル上の上りサブフレームのSRS送信指示情報は、第1のRNTI（Radio Network Temporary Identity）スクランブルCRC検査コードを使用する。第1のRNTIは、アクセス・ネットワーク・デバイスによってUEのために構成され、上りキャリアの上りサブフレームでUEのためのSRS送信指示情報を復調するのに使用される。
【０１７４】
第1のRNTIは、アクセス・ネットワーク・デバイスによって少なくとも2台のUEのために構成される。
【０１７５】
共通下り制御チャネルは、上りキャリアの上りサブフレームに少なくとも2台のUEのためのSRS送信指示情報を含む。
【０１７６】
任意選択で、上りキャリアの上りサブフレームにおける少なくとも2台のUEのためのSRS送信指示情報は同じである。共通下り制御チャネル上では、上りキャリアの上りサブフレームにおけるSRS送信指示情報は、少なくとも2台のUEによって共有されるSRS送信指示情報である。
【０１７７】
任意選択で、上りキャリアの上りサブフレームにおける少なくとも2台のUEのためのSRS送信指示情報は異なる。アクセス・ネットワーク・デバイスは、共通下り制御チャネル上で、少なくとも2台のUEの各々のものであり、上りキャリアの上りサブフレームのものであるSRS送信指示情報の位置を構成する。少なくとも2台のUEの各々が、指示された位置情報に基づいて、共通下り制御チャネル上の上りサブフレームでUEのためのSRS送信指示情報を取得する。
【０１７８】
例えば、共通下り制御チャネル上でアクセス・ネットワーク・デバイスによって送信されたSRS送信指示情報は、SRS送信指示情報1、SRS送信指示情報2、SRS送信指示情報3、．．．、およびSRS送信指示情報Lである。SRS送信指示情報1、SRS送信指示情報2、SRS送信指示情報3、．．．、およびSRS送信指示情報Lは、L台のUEのためのSRS送信指示情報である。第1のRNTIを使用して共通下り制御チャネル上で受信された情報を判断した後、L台のUEのうちの任意の1台が、共通下り制御チャネル上で、UEのためにアクセス・ネットワーク・デバイスによって構成されたSRS送信指示情報の、位置に基づく上りサブフレームでUEのためのSRS送信指示情報を取得する。
【０１７９】
任意選択で、少なくとも2台のUEのためのSRS送信指示情報が上りサブフレームの第1のシンボルでSRSを送信しようとする場合、少なくとも2台のUEに対応する第1のシンボルは、同じであっても異なっていてもよい。
【０１８０】
任意選択で、共通下り制御チャネルは代替として、ハイブリッド自動再送指示物理チャネルのリソースまたは物理制御フォーマット指示チャネルのリソースで送信されてもよい。免許不要帯域内の搬送波では、HARQ−ACKは、ハイブリッド自動再送指示物理チャネルのリソースで送信される必要がなく、制御フォーマット指示情報は、物理制御フォーマット指示チャネルのリソースで送信される必要がない。したがって、共通下り制御チャネルは、免許不要帯域の搬送波上のハイブリッド自動再送指示物理チャネルのリソースまたは物理制御フォーマット指示チャネルのリソースで送信されうる。
【０１８１】
同じ発明概念に基づいて、本発明の一実施形態は端末を提供する。端末の具体的な実施態様については、前述の方法実施形態の説明を参照されたく、繰り返しの部分については再度記載しない。図13に示すように、本端末は、
上りサブフレームのためにアクセス・ネットワーク・デバイスによって送信された信号送信指示情報を受信するように構成された受信モジュール1301であって、信号送信指示情報が、端末UEに上りサブフレームの第1のシンボルでサウンディング参照信号SRSを送信するよう命令するのに使用され、かつ／またはUEに上りサブフレームの第2のシンボル集合に含まれるシンボルでPUSCHを送信するよう命令するのに使用される、受信モジュール1301と、
信号送信指示情報に基づいて上りサブフレームでSRSおよび／またはPUSCHを送信するように構成された、送信モジュール1302と
を主に含む。
【０１８２】
1つの可能な実施態様において、第1のシンボルおよび／もしくは第2のシンボル集合に含まれるシンボルは、信号送信指示情報を使用してアクセス・ネットワーク・デバイスによってUEに送信され、または
第1のシンボルおよび／もしくは第2のシンボル集合に含まれるシンボルは、アクセス・ネットワーク・デバイスによってUEのために事前構成される。
【０１８３】
1つの可能な実施態様において、本端末は、処理モジュール1303をさらに含み、処理モジュール1303は、
第1の構成情報を決定し、第1の構成情報が、第1のシンボル集合および／もしくは候補シンボル集合グループの指示情報を含み、
信号送信指示情報に基づいて第1のシンボル集合内の第1のシンボルを決定し、かつ／または
信号送信指示情報に基づいて候補シンボル集合グループ内の第2のシンボル集合を決定する
ように構成される。
【０１８４】
1つの可能な実施態様において、受信モジュールは、アクセス・ネットワーク・デバイスによって送信された第1の構成情報を受信するようにさらに構成され、または
処理モジュールは、信号送信指示情報に基づいて上りサブフレームの種類を決定し、上りサブフレームの種類と第1の構成情報との間の事前設定対応関係に基づいて上りサブフレームの種類に対応する第1の構成情報を決定する、ようにさらに構成される。
【０１８５】
第1のシンボル集合および候補シンボル集合グループの具体的な構成については、方法実施形態の説明を参照されたく、ここでは詳細を繰り返さない。第1のシンボルおよび第2のシンボル集合に含まれるシンボルの具体的な構成については、方法実施形態の説明を参照されたく、ここでは詳細を繰り返さない。
【０１８６】
同じ発明概念に基づいて、本発明の一実施形態は別の端末をさらに提供する。端末の具体的な実施態様については、前述の方法実施形態の説明を参照されたく、繰り返しの部分については再度記載しない。図14に示すように、本端末は、プロセッサ1401と、メモリ1402と、送受信機1403とを主に含む。送受信機1403は、プロセッサ1401の制御下でデータを送受信するように構成され、メモリ1402は、事前設定プログラムを格納し、プロセッサ1401は、メモリ1402に格納されたプログラムを読み取り、プログラムに従って、
送受信機1403を使用して、上りサブフレームのためにアクセス・ネットワーク・デバイスによって送信された信号送信指示情報を受信するプロセスであって、信号送信指示情報が、端末UEに上りサブフレームの第1のシンボルでサウンディング参照信号SRSを送信するよう命令するのに使用され、かつ／またはUEに上りサブフレームの第2のシンボル集合に含まれるシンボルでPUSCHを送信するよう命令するのに使用される、プロセスと、
信号送信指示情報に基づいて、送受信機1403に、上りサブフレームでSRSおよび／またはPUSCHを送信するよう命令するプロセスと
を行う。
【０１８７】
1つの可能な実施態様において、第1のシンボルおよび／もしくは第2のシンボル集合に含まれるシンボルは、信号送信指示情報を使用してアクセス・ネットワーク・デバイスによってUEに送信され、または
第1のシンボルおよび／もしくは第2のシンボル集合に含まれるシンボルは、アクセス・ネットワーク・デバイスによってUEのために事前構成される。
【０１８８】
1つの可能な実施態様において、プロセッサ1401は、第1の構成情報を決定し、第1の構成情報が、第1のシンボル集合および／もしくは候補シンボル集合グループの指示情報を含み、信号送信指示情報に基づいて第1のシンボル集合内の第1のシンボルを決定し、かつ／または信号送信指示情報に基づいて候補シンボル集合グループ内の第2のシンボル集合を決定する。
【０１８９】
1つの可能な実施態様において、プロセッサ1401は、送受信機1403を使用して、アクセス・ネットワーク・デバイスによって送信された第1の構成情報を受信するようにさらに構成され、または
プロセッサ1401は、信号送信指示情報に基づいて上りサブフレームの種類を決定し、上りサブフレームの種類と第1の構成情報との間の事前設定対応関係に基づいて上りサブフレームの種類に対応する第1の構成情報を決定する、ようにさらに構成される。
【０１９０】
第1のシンボル集合および候補シンボル集合グループの具体的な構成については、方法実施形態の説明を参照されたく、ここでは詳細を繰り返さない。第1のシンボルおよび第2のシンボル集合に含まれるシンボルの具体的な構成については、方法実施形態の説明を参照されたく、ここでは詳細を繰り返さない。
【０１９１】
同じ発明概念に基づいて、本発明の一実施形態はアクセス・ネットワーク・デバイスをさらに提供する。アクセス・ネットワーク・デバイスの具体的な実施態様については、前述の方法実施形態部分の説明を参照されたく、繰り返し部分については再度記載しない。図15に示すように、本アクセス・ネットワーク・デバイスは、
上りサブフレームの信号送信指示情報を送信するように構成された送信モジュール1501であって、信号送信指示情報が、端末UEに上りサブフレームの第1のシンボルでサウンディング参照信号SRSを送信するよう命令するのに使用され、かつ／または端末UEに上りサブフレームの第2のシンボル集合に含まれるシンボルでPUSCHを送信するよう命令するのに使用される、送信モジュール1501と、
信号送信指示情報に基づいて上りサブフレームでUEによって送信されたSRSおよび／またはPUSCHを受信するように構成された、受信モジュール1502と
を主に含む。
【０１９２】
1つの可能な実施態様において、アクセス・ネットワーク・デバイスは、処理モジュール1503をさらに含み、処理モジュール1503は、
信号送信指示情報を使用して、UEに、第1のシンボルおよび／もしくは第2のシンボル集合に含まれるシンボルを通知し、または
UEのために第1のシンボルおよび／もしくは第2のシンボル集合に含まれるシンボルを事前構成する
ように特に構成される。
【０１９３】
1つの可能な実施態様において、送信モジュール1501は、
UEに第1の構成情報を送信し、第1の構成情報が、第1のシンボル集合および／もしくは候補シンボル集合グループの指示情報を含み、第1のシンボル集合が、第1のシンボルの少なくとも1つの候補シンボルを含み、候補シンボル集合グループが、第2のシンボル集合の少なくとも1つの候補シンボル集合を含む、
ようにさらに構成される。
【０１９４】
第1のシンボル集合および候補シンボル集合グループの具体的な構成については、方法実施形態の説明を参照されたく、ここでは詳細を繰り返さない。第1のシンボルおよび第2のシンボル集合に含まれるシンボルの具体的な構成については、方法実施形態の説明を参照されたく、ここでは詳細を繰り返さない。
【０１９５】
同じ発明概念に基づいて、本発明の一実施形態はアクセス・ネットワーク・デバイスをさらに提供する。アクセス・ネットワーク・デバイスの具体的な実施態様については、前述の方法実施形態部分の説明を参照されたく、繰り返し部分については再度記載しない。図16に示すように、本アクセス・ネットワーク・デバイスは、プロセッサ1601と、メモリ1602と、送受信機1603とを主に含む。送受信機1603は、プロセッサ1601の制御下でデータを送受信するように構成され、メモリ1602は、事前設定プログラムを格納し、プロセッサ1601は、メモリ1602に格納されたプログラムを読み取り、プログラムに従って、
送受信機1603に、上りサブフレームの信号送信指示情報を送信するよう命令するプロセスであって、信号送信指示情報が、端末UEに上りサブフレームの第1のシンボルでサウンディング参照信号SRSを送信するよう命令するのに使用され、かつ／または端末UEに上りサブフレームの第2のシンボル集合に含まれるシンボルでPUSCHを送信するよう命令するのに使用される、プロセスと、
送受信機1603を使用して、信号送信指示情報に基づいて上りサブフレームでUEによって送信されたSRSおよび／またはPUSCHを受信するプロセスと
を行う。
【０１９６】
1つの可能な実施態様において、プロセッサ1601は、信号送信指示情報を使用して、UEに、第1のシンボルおよび／もしくは第2のシンボル集合に含まれるシンボルを通知し、またはUEのために第1のシンボルおよび／もしくは第2のシンボル集合に含まれるシンボルを事前構成する。
【０１９７】
1つの可能な実施態様において、プロセッサ1601は、送受信機1603に、UEに第1の構成情報を送信するよう命令し、第1の構成情報が、第1のシンボル集合および／もしくは候補シンボル集合グループの指示情報を含み、第1のシンボル集合が、第1のシンボルの少なくとも1つの候補シンボルを含み、候補シンボル集合グループが、第2のシンボル集合の少なくとも1つの候補シンボル集合を含む、ようにさらに構成される。
【０１９８】
第1のシンボル集合および候補シンボル集合グループの具体的な構成については、方法実施形態の説明を参照されたく、ここでは詳細を繰り返さない。第1のシンボルおよび第2のシンボル集合に含まれるシンボルの具体的な構成については、方法実施形態の説明を参照されたく、ここでは詳細を繰り返さない。
【０１９９】
同じ発明概念に基づいて、本発明の一実施形態は別のアクセス・ネットワーク・デバイスをさらに提供する。アクセス・ネットワーク・デバイスの具体的な実施態様については、前述の方法実施形態の説明を参照されたく、繰り返し部分については再度記載しない。図17に示すように、本アクセス・ネットワーク・デバイスは、
UEに上りサブフレームのSRS送信指示情報を送信するように構成された、送信モジュール1701と、
SRS送信指示情報に基づいて上りサブフレームでUEの上り信号を受信するように構成された、受信モジュール1702と
を主に含む。
【０２００】
SRS送信指示情報は、上りサブフレームでSRSを送信すべきかどうかに関する情報、および／または上りサブフレームの第1のシンボルでSRSを送信すべきかどうかに関する情報を含む。
【０２０１】
具体的には、上りサブフレームのSRS送信指示情報が上りサブフレームの第1のシンボルでSRSを送信するよう命令している場合、受信モジュール1702は、上りサブフレームの第1のシンボルでSRSを受信し、そうでない場合、受信モジュール1702は、上りサブフレームでSRSを受信しない。
【０２０２】
具体的には、上りサブフレームのSRS送信指示情報は、アクセス・ネットワーク・デバイスによって少なくとも2台のUEに送信される共通下り制御チャネル上の情報に属する。
【０２０３】
具体的には、第1のシンボルの具体的な構成については、前述の方法実施形態の説明を参照されたく、ここでは詳細を繰り返さない。
【０２０４】
同じ発明概念に基づいて、本発明の一実施形態は別のアクセス・ネットワーク・デバイスをさらに提供する。アクセス・ネットワーク・デバイスの具体的な実施態様については、前述の方法実施形態の説明を参照されたく、繰り返し部分については再度記載しない。図18に示すように、本アクセス・ネットワーク・デバイスは、プロセッサ1801と、メモリ1802と、送受信機1803とを主に含む。送受信機1803は、プロセッサ1801の制御下でデータを送受信するように構成され、メモリ1802は、事前設定プログラムを格納し、プロセッサ1801は、メモリ1802に格納されたプログラムを読み取り、プログラムに従って、
送受信機1803、UEに上りサブフレームのSRS送信指示情報を送信するよう命令するプロセスと、
SRS送信指示情報に基づいて、送受信機1803に、上りサブフレームでUEの上り信号を受信するよう命令するプロセスと
を行う。
【０２０５】
SRS送信指示情報は、上りサブフレームでSRSを送信すべきかどうかに関する情報、および／または上りサブフレームの第1のシンボルでSRSを送信すべきかどうかに関する情報を含む。
【０２０６】
具体的には、上りサブフレームのSRS送信指示情報が上りサブフレームの第1のシンボルでSRSを送信するよう命令している場合、プロセッサは、送受信機に、上りサブフレームの第1のシンボルでSRSを受信するよう命令し、そうでない場合、プロセッサは、送受信機に、上りサブフレームのSRSを受信しないよう命令する。
【０２０７】
具体的には、上りサブフレームのSRS送信指示情報は、アクセス・ネットワーク・デバイスによって少なくとも2台のUEに送信される共通下り制御チャネル上の情報に属する。
【０２０８】
具体的には、第1のシンボルの具体的な構成については、前述の方法実施形態の説明を参照されたく、ここでは詳細を繰り返さない。
【０２０９】
同じ発明概念に基づいて、本発明の一実施形態は別の端末をさらに提供する。端末の具体的な実施態様については、前述の方法実施形態の説明を参照されたく、繰り返しの部分については再度記載しない。図19に示すように、本端末は、
上りサブフレームのためにアクセス・ネットワーク・デバイスによって送信されたSRS送信指示情報を受信するように構成された、受信モジュール1901と、
上りサブフレームのSRS送信指示情報に基づいて、送信モジュール1903に、上りサブフレームでSRSを送信するよう命令すべきかどうか判断するように構成された、処理モジュール1902と
を主に含む。
【０２１０】
SRS送信指示情報は、上りサブフレームでSRSを送信すべきかどうかに関する情報、および／または上りサブフレームの第1のシンボルでSRSを送信すべきかどうかに関する情報を含む。
【０２１１】
具体的には、第1のシンボルの具体的な構成については、前述の方法実施形態の説明を参照されたく、ここでは詳細を繰り返さない。
【０２１２】
同じ発明概念に基づいて、本発明の一実施形態は別の端末をさらに提供する。端末の具体的な実施態様については、前述の方法実施形態の説明を参照されたく、繰り返しの部分については再度記載しない。図20に示すように、本端末は、プロセッサ2001と、メモリ2002と、送受信機2003とを主に含む。送受信機2003は、プロセッサ2001の制御下でデータを送受信するように構成され、メモリ2002は、事前設定プログラムを格納し、プロセッサ2001は、メモリ2002に格納されたプログラムを読み取り、プログラムに従って、
送受信機2003を使用して、上りサブフレームのためにアクセス・ネットワーク・デバイスによって送信されたSRS送信指示情報を受信するプロセスと、
上りサブフレームのSRS送信指示情報に基づいて、送受信機2003に、上りサブフレームでSRSを送信するよう命令すべきかどうか判断するプロセスと
を行う。
【０２１３】
SRS送信指示情報は、上りサブフレームでSRSを送信すべきかどうかに関する情報、および／または上りサブフレームの第1のシンボルでSRSを送信すべきかどうかに関する情報を含む。
【０２１４】
具体的には、第1のシンボルの具体的な構成については、前述の方法実施形態の説明を参照されたく、ここでは詳細を繰り返さない。
【０２１５】
図14、図16、図18、および図20のバスアーキテクチャは、任意の数の相互接続されたバスおよびブリッジを含みうる。具体的には、相互接続されたバスおよびブリッジは、プロセッサで表された1または複数のプロセッサおよびメモリで表されたメモリの様々な回路と相互にリンクされる。バスアーキテクチャを使用して、周辺デバイス、電圧調整器、電源管理回路などの様々な他の回路を相互にリンクすることができる。これについては当分野で周知であり、本明細書ではこれ以上説明しない。バスインターフェースはインターフェースを提供する。送受信機は、複数の要素であり、すなわち、送信機と送受信機とを含み、伝送媒体で他の装置と通信するユニットを提供しうる。プロセッサは、バスアーキテクチャ管理および一般処理の役割を担い、メモリは、プロセッサが動作を行うときに使用されるデータを格納しうる。
【０２１６】
本発明の各実施形態は、方法、システム、またはコンピュータプログラム製品として提供されうることを当業者は理解するはずである。したがって、本発明は、ハードウェアのみの実施形態、ソフトウェアのみの実施形態、またはソフトウェアとハードウェアの組み合わせを用いた実施形態の形態を用いることができる。さらに、本発明は、コンピュータ使用可能プログラムコードを含む（ディスクメモリおよび光メモリを含むがこれらに限定されない）1または複数のコンピュータ使用可能記憶媒体上に実装されたコンピュータプログラム製品の形態を用いることもできる。
【０２１７】
本発明は、本発明の実施形態による方法、デバイス（システム）、およびコンピュータプログラム製品の流れ図および／またはブロック図を参照して説明されている。コンピュータプログラム命令は、流れ図および／またはブロック図内の各プロセスおよび／または各ブロック、ならびに流れ図および／またはブロック図内のプロセスおよび／またはブロックの組み合わせを実現するのに使用されうることを理解されたい。これらのコンピュータプログラム命令は、汎用コンピュータ、専用コンピュータ、組み込みプロセッサ、または任意の他のプログラマブルデータ処理デバイスのプロセッサがマシンを生成するために提供されうるものであり、このため、これらの命令がコンピュータまたは任意の他のプログラマブルデータ処理デバイスのプロセッサによって実行されることにより、流れ図内の1もしくは複数のプロセスおよび／またはブロック図内の1もしくは複数のブロックにおける特定の機能を実現するための装置が生成される。
【０２１８】
これらのコンピュータプログラム命令は、コンピュータまたは任意の他のプログラマブルデータ処理デバイスに特定の方法で動作するよう命令できるコンピュータ可読メモリに記憶することができ、これにより、コンピュータ可読メモリに記憶されたこれらの命令は命令装置を含む製品を生成する。命令装置は、流れ図内の1もしくは複数のプロセスおよび／またはブロック図内の1もしくは複数のブロックにおける特定の機能を実現する。
【０２１９】
これらのコンピュータプログラム命令は、コンピュータまたは別のプログラマブルデータ処理デバイスにロードされてよく、これにより、一連の動作およびステップがコンピュータまたは別のプログラマブルデバイス上で行われ、それによってコンピュータ実装処理が生成される。したがって、命令がコンピュータまたは別のプログラマブルデバイス上で実行されることにより、流れ図内の1もしくは複数のプロセスおよび／またはブロック図内の1もしくは複数のブロックにおける特定の機能を実現するためのステップが提供される。
【０２２０】
当業者が、本発明の趣旨および範囲を逸脱することなく本発明に様々な改変および変形を加えることができることは自明である。本発明は、これらの改変および変形が添付の特許請求の範囲および添付の特許請求の範囲と均等な技術によって定義される保護の範囲内に含まれるという条件で、これらの改変および変形を包含すべきものである。
【符号の説明】
【０２２１】
1301  受信モジュール
1302  送信モジュール
1303  処理モジュール
1401  プロセッサ
1402  メモリ
1403  送受信機
1501  送信モジュール
1502  受信モジュール
1503  処理モジュール
1601  プロセッサ
1602  メモリ
1603  送受信機
1701  送信モジュール
1702  処理モジュール
1801  プロセッサ
1802  メモリ
1803  送受信機
1901  受信モジュール
1902  処理モジュール
1903  送信モジュール
2001  プロセッサ
2002  メモリ
2003  送受信機
【図１】
2019506088.tif 000005
【図２】
2019506088.tif 000006
【図３】
2019506088.tif 000007
【図４】
2019506088.tif 000008
【図５】
2019506088.tif 000009
【図６ａ】
2019506088.tif 000010
【図６ｂ】
2019506088.tif 000011
【図６ｃ】
2019506088.tif 000012
【図６ｄ】
2019506088.tif 000013
【図６ｅ】
2019506088.tif 000014
【図６ｆ】
2019506088.tif 000015
【図６ｇ】
2019506088.tif 000016
【図６ｈ】
2019506088.tif 000017
【図６ｋ】
2019506088.tif 000018
【図６ｍ】
2019506088.tif 000019
【図７ａ】
2019506088.tif 000020
【図７ｂ】
2019506088.tif 000021
【図７ｃ】
2019506088.tif 000022
【図７ｄ】
2019506088.tif 000023
【図８】
2019506088.tif 000024
【図９】
2019506088.tif 000025
【図１０ａ】
2019506088.tif 000026
【図１０ｂ】
2019506088.tif 000027
【図１０ｃ】
2019506088.tif 000028
【図１０ｄ】
2019506088.tif 000029
【図１１ａ】
2019506088.tif 000030
【図１１ｂ】
2019506088.tif 000031
【図１２】
2019506088.tif 000032
【図１３】
2019506088.tif 000033
【図１４】
2019506088.tif 000034
【図１５】
2019506088.tif 000035
【図１６】
2019506088.tif 000036
【図１７】
2019506088.tif 000037
【図１８】
2019506088.tif 000038
【図１９】
2019506088.tif 000039
【図２０】
2019506088.tif 000040
【手続補正書】
【提出日】平成30年10月1日(2018.10.1)
【手続補正１】
【補正対象書類名】特許請求の範囲
【補正対象項目名】全文
【補正方法】変更
【補正の内容】
【特許請求の範囲】
【請求項１】
端末によって実施される、上り信号伝送方法であって、
アクセス・ネットワーク・デバイスから物理制御チャネルを受信するステップであって、前記物理制御チャネルが信号送信指示情報を搬送し、前記信号送信指示情報が、前記端末に前記上りサブフレームの第1のシンボルでサウンディング参照信号、SRS、を送信するよう命令し、かつ／または前記端末に前記上りサブフレームの第2のシンボル集合に含まれるシンボルで物理上り共有チャネル、PUSCH、を送信するよう命令する、前記ステップと、
前記信号送信指示情報に基づいて前記上りサブフレームでSRSおよび／またはPUSCHを送信するステップと
を含む、上り信号伝送方法。
【請求項２】
前記物理制御チャネルは、物理下り制御チャネル（PDCCH）またはエンハンスト物理下り制御チャネル（EPDCCH）である、請求項1に記載の方法。
【請求項３】
前記第2のシンボル集合は、候補シンボル集合グループに含まれる任意の候補シンボル集合であり、前記候補シンボル集合グループに含まれる任意の候補シンボル集合は、K個の連続したシンボルを含み、Kは正の整数である、請求項1または2に記載の方法。
【請求項４】
Kの値は、14、13、12、または11である、請求項3に記載の方法。
【請求項５】
前記候補シンボル集合グループは、
前記上りサブフレームの2番目のシンボルから最後から2番目のシンボルまで、
前記上りサブフレームの1番目のシンボルから最後から2番目のシンボルまで、
前記上りサブフレームの2番目のシンボルから最後のシンボルまで、および
前記上りサブフレームのすべてのシンボル、
の候補シンボル集合を含む、請求項1から4のいずれか一項に記載の方法。
【請求項６】
前記第2のシンボル集合に含まれる前記シンボルは、前記信号送信指示情報を使用して前記アクセス・ネットワーク・デバイスによって前記端末に指示される、請求項1に記載の方法。
【請求項７】
アクセス・ネットワーク・デバイスによって実施される、上り信号受信方法であって、
物理制御チャネルを送信するステップであって、前記物理制御チャネルが信号送信指示情報を搬送し、前記信号送信指示情報が、端末に前記上りサブフレームの第1のシンボルでSRSを送信するよう命令し、かつ／または前記端末に前記上りサブフレームの第2のシンボル集合に含まれるシンボルでPUSCHを送信するよう命令する、前記ステップと、
前記信号送信指示情報に基づいて前記上りサブフレームで前記端末からSRSおよび／またはPUSCHを受信するステップと
を含む、上り信号受信方法。
【請求項８】
前記物理制御チャネルはPDCCHまたはEPDCCHである、請求項7に記載の方法。
【請求項９】
前記第2のシンボル集合は、候補シンボル集合グループに含まれる任意の候補シンボル集合であり、前記候補シンボル集合グループに含まれる任意の候補シンボル集合は、K個の連続したシンボルを含み、Kは正の整数である、請求項7または8に記載の方法。
【請求項１０】
Kの値は、14、13、12、または11である、請求項9に記載の方法。
【請求項１１】
前記候補シンボル集合グループは、
前記上りサブフレームの2番目のシンボルから最後から2番目のシンボルまで、
前記上りサブフレームの1番目のシンボルから最後から2番目のシンボルまで、
前記上りサブフレームの2番目のシンボルから最後のシンボルまで、および
前記上りサブフレームのすべてのシンボル、
の候補シンボル集合のうちの少なくとも1つを含む、請求項7から10のいずれか一項に記載の方法。
【請求項１２】
前記方法は、
前記信号送信指示情報を使用して、前記端末に、前記第2のシンボル集合に含まれる前記シンボルを通知するステップ
をさらに含む、請求項7に記載の方法。
【請求項１３】
上り信号伝送装置であって、
アクセス・ネットワーク・デバイスから物理制御チャネルを受信するように構成された受信モジュールであって、前記物理制御チャネルが信号送信指示情報を搬送し、前記信号送信指示情報が、端末に前記上りサブフレームの第1のシンボルでSRSを送信するよう命令し、かつ／または前記端末に前記上りサブフレームの第2のシンボル集合に含まれるシンボルでPUSCHを送信するよう命令する、受信モジュールと、
前記信号送信指示情報に基づいて前記上りサブフレームでSRSおよび／またはPUSCHを送信するように構成された、送信モジュールと
を含む、上り信号伝送装置。
【請求項１４】
前記物理制御チャネルはPDCCHまたはEPDCCHである、請求項13に記載の装置。
【請求項１５】
前記第2のシンボル集合は、候補シンボル集合グループに含まれる任意の候補シンボル集合であり、前記候補シンボル集合グループに含まれる任意の候補シンボル集合は、K個の連続したシンボルを含み、Kは正の整数である、請求項13または14に記載の装置。
【請求項１６】
Kの値は、14、13、12、または11である、請求項15に記載の装置。
【請求項１７】
前記候補シンボル集合グループは、
前記上りサブフレームの2番目のシンボルから最後から2番目のシンボルまで、
前記上りサブフレームの1番目のシンボルから最後から2番目のシンボルまで、
前記上りサブフレームの2番目のシンボルから最後のシンボルまで、および
前記上りサブフレームのすべてのシンボル、
の候補シンボル集合を含む、請求項13から16のいずれか一項に記載の装置。
【請求項１８】
前記第2のシンボル集合に含まれる前記シンボルは、前記信号送信指示情報を使用して前記アクセス・ネットワーク・デバイスによって前記端末に指示される、請求項13に記載の装置。
【請求項１９】
上り信号受信装置であって、
物理制御チャネルを送信するように構成された送信モジュールであって、前記物理制御チャネルが信号送信指示情報を搬送し、前記信号送信指示情報が、端末に前記上りサブフレームの第1のシンボルでSRSを送信するよう命令し、かつ／または前記端末に前記上りサブフレームの第2のシンボル集合に含まれるシンボルでPUSCHを送信するよう命令する、送信モジュールと、
前記信号送信指示情報に基づいて前記上りサブフレームで前記端末からSRSおよび／またはPUSCHを受信するように構成された、受信モジュールと
を含む、上り信号受信装置。
【請求項２０】
前記物理制御チャネルはPDCCHまたはEPDCCHである、請求項19に記載の装置。
【請求項２１】
前記第2のシンボル集合は、候補シンボル集合グループに含まれる任意の候補シンボル集合であり、前記候補シンボル集合グループに含まれる任意の候補シンボル集合は、K個の連続したシンボルを含み、Kは正の整数である、請求項19または20に記載の装置。
【請求項２２】
Kの値は、14、13、12、または11である、請求項21に記載の装置。
【請求項２３】
前記候補シンボル集合グループは、
前記上りサブフレームの2番目のシンボルから最後から2番目のシンボルまで、
前記上りサブフレームの1番目のシンボルから最後から2番目のシンボルまで、
前記上りサブフレームの2番目のシンボルから最後のシンボルまで、および
前記上りサブフレームのすべてのシンボル、
の候補シンボル集合を含む、請求項19から22のいずれか一項に記載の装置。
【請求項２４】
前記信号送信指示情報を使用して、前記端末に、前記第2のシンボル集合に含まれる前記シンボルを通知する
ように特に構成される、処理モジュールをさらに含む、請求項19に記載の装置。
【請求項２５】
プログラムが記録されたコンピュータ可読記憶媒体であって、前記プログラムはコンピュータに請求項1から6のいずれか一項に記載の方法を実行させる、コンピュータ可読記憶媒体。
【請求項２６】
プログラムが記録されたコンピュータ可読記憶媒体であって、前記プログラムはコンピュータに請求項7から12のいずれか一項に記載の方法を実行させる、コンピュータ可読記憶媒体。
【手続補正２】
【補正対象書類名】明細書
【補正対象項目名】０００２
【補正方法】変更
【補正の内容】
【０００２】
ロング・ターム・エボリューション（Long Term Evolution、LTE）システムでは、上りリンクサービスの伝送は、基地局によるスケジューリングに基づくものである。スケジューリングの基本時間単位はサブフレームである。サブフレームは、複数の時間領域シンボルを含む。具体的なスケジューリング手順は次のとおりである。基地局が、制御チャネル、例えば、物理下り制御チャネル（physical downlink control channel、PDCCH）やエンハンスト物理下り制御チャネル（enhanced PDCCH、EPDCCH）を送信する。制御チャネルは、物理上り共有チャネル（physical uplink shared channel、PUSCH）のスケジューリング情報を搬送しうる。スケジューリング情報は、リソース割り振り情報や変調および符号化方式などの制御情報を含む。端末、例えば、ユーザ機器（user equipment、UE）は、サブフレームにおいて制御チャネルを検出し、検出された制御チャネルで搬送されたスケジューリング情報に基づいて、下りデータチャネルを受信し、または上りデータチャネルを送信する。
【手続補正３】
【補正対象書類名】明細書
【補正対象項目名】０００３
【補正方法】変更
【補正の内容】
【０００３】
進化型LTEシステム（LTE−A）では、キャリアアグリゲーション（CA）技術が導入されている。すなわち、より高いピークレートを達成し、より高いサービス要求を満たすように、複数のコンポーネントキャリア（component carrier、CC）のリソースが1台の端末が使用するために同時に割り振られうる。さらに、無線通信システムおよび通信事業者は、免許不要（unlicensed）帯域の使用を制限されないため、LTEデバイスが免許不要帯域に適用されれば、免許不要帯域のリソースを有効に使用できるだけでなく、より有効な無線アクセスを提供することもでき、ますます増大するモバイル・ブロードバンド・サービスの要件を満たすこともできる。LTEシステムが免許不要帯域を使用するための実現可能な解決法の1つは、免許不要帯域がLTE基地局のセカンダリセル（SCell）周波数リソースとして使用されることである。加えて、免許帯域のセルは、プライマリセル（PCell）として使用される。
【手続補正４】
【補正対象書類名】明細書
【補正対象項目名】０００４
【補正方法】変更
【補正の内容】
【０００４】
免許不要周波数リソースにおいて、様々な通信システムの複数の事業者が同じ周波数帯域を占有しようとする場合がある。複数の通信システムが免許不要周波数リソースを占有しているときに互いに影響を受けない共存機能を実現するために、無線通信デバイスは、通信のために免許不要帯域を占有するときにリッスン・ビフォア・トーク（listen before talk、LBT）規則を使用する必要がある。すなわち、チャネルを使用する前に、装置はまずチャネルがアイドル状態であるかどうかをリッスンし、チャネルがアイドル状態であれば、デバイスは免許不要帯域のチャネルを使用してよい。デバイスは、検出されたチャネルがアイドル状態であるかどうか判断するために、エネルギー検出によるクリアチャネル評価（clear channel assessment、CCA）を行いうる。
【手続補正５】
【補正対象書類名】明細書
【補正対象項目名】０００５
【補正方法】変更
【補正の内容】
【０００５】
LTEシステムでは、基地局は、異なる周波数帯域の上りチャネル品質を推定するために、サウンディング参照信号（sounding reference signal、SRS）を使用する。基地局側のスケジューラは、上りチャネル状態推定値に基づいて、所望の瞬時のチャネル状態を有するリソースブロック（resource block、RB）を伝送のためにUEの上りPUSCHに割り振り、伝送パラメータ（例えば、瞬時のデータレート）を選択し、上り周波数を選択的にスケジュールするために上りマルチアンテナ伝送に関連した異なるパラメータを選択しうる。SRSは、上りタイミング（timing）を推定するためにさらに使用されてよく、下りチャネルと上りチャネルとが互いに利益を得ると仮定して、特にTDDシステムにおいて、チャネル対称性を使用して下りチャネル品質が推定される。LTEでは、周期SRS（periodic SRS）と非周期SRSの2種類のSRS伝送が定義されている。周期SRSはトリガタイプ0に対応し、非周期SRSはトリガタイプ1に対応する。セルにおいてシステムフレーム（10ms）内にある、SRSを送信するのに使用されうるサブフレーム番号の集合は、
【手続補正６】
【補正対象書類名】明細書
【補正対象項目名】００１０
【補正方法】変更
【補正の内容】
【００１０】
既存の技術的解決策では、SRSがサブフレームで送信される場合、SRSはサブフレームの最後のシンボルを占有する。最後のシングルキャリア周波数分割多元接続（single−carrier frequency−division multiple access、SC−FDMA）シンボルがSRSに割り振られる場合、そのシンボルはPUSCH伝送で使用することができない。異なるUEのSRS伝送とPUSCH伝送との間の競合を回避するために、すべてのUEは、SRSが送信されるサブフレームの最後のSC−FDMAシンボルでのPUSCHの送信を回避すべきである。あるセル内のすべてのUEが、UEがどのサブフレームセットでSRSを送信してよいかを知る必要がある。したがって、SRSサブフレームはセルレベルで構成される。このようにして、すべてのUEは、各サブフレームの最後のSC−FDMAシンボルでのPUSCHの送信を回避することができる。
【手続補正７】
【補正対象書類名】明細書
【補正対象項目名】００１５
【補正方法】変更
【補正の内容】
【００１５】
第1の態様によれば、本発明の一実施形態は上り信号伝送方法を提供し、本方法は、
端末（例えば、ユーザ機器（UE））が、上りサブフレームのためにアクセス・ネットワーク・デバイスによって送信された信号送信指示情報を受信するステップであって、信号送信指示情報が、端末に上りサブフレームの第1のシンボルでサウンディング参照信号SRSを送信するよう命令するのに使用され、かつ／または端末に上りサブフレームの第2のシンボル集合に含まれるシンボルでPUSCHを送信するよう命令するのに使用される、ステップと、
端末が、信号送信指示情報に基づいて上りサブフレームでSRSおよび／またはPUSCHを送信するステップと
を含む。
【手続補正８】
【補正対象書類名】明細書
【補正対象項目名】００１６
【補正方法】変更
【補正の内容】
【００１６】
すべての可能な実施態様において、第1のシンボルおよび／もしくは第2のシンボル集合に含まれるシンボルは、信号送信指示情報を使用してアクセス・ネットワーク・デバイスによって端末に送信され、または
第1のシンボルおよび／もしくは第2のシンボル集合に含まれるシンボルは、アクセス・ネットワーク・デバイスによって端末のために事前構成される。
【手続補正９】
【補正対象書類名】明細書
【補正対象項目名】００１７
【補正方法】変更
【補正の内容】
【００１７】
すべての可能な実施態様において、本方法は、
端末が、第1の構成情報を決定するステップであって、第1の構成情報が、第1のシンボル集合および／もしくは候補シンボル集合グループの指示情報を含む、ステップ、
端末が、信号送信指示情報に基づいて第1のシンボル集合内の第1のシンボルを決定するステップ、ならびに／または
信号送信指示情報に基づいて候補シンボル集合グループ内の第2のシンボル集合を決定するステップ
をさらに含む。
【手続補正１０】
【補正対象書類名】明細書
【補正対象項目名】００１８
【補正方法】変更
【補正の内容】
【００１８】
すべての可能な実施態様において、端末が、第1の構成情報を決定するステップは、
端末が、アクセス・ネットワーク・デバイスによって送信された第1の構成情報を受信するステップ、または
端末が、信号送信指示情報に基づいて上りサブフレームの種類を決定し、上りサブフレームの種類と第1の構成情報との間の事前設定対応関係に基づいて上りサブフレームの種類に対応する第1の構成情報を決定するステップ
を含む。
【手続補正１１】
【補正対象書類名】明細書
【補正対象項目名】００２５
【補正方法】変更
【補正の内容】
【００２５】
第2の態様によれば、本発明の一実施形態は上り信号伝送方法を提供し、本方法は、
アクセス・ネットワーク・デバイスが、上りサブフレームの信号送信指示情報を送信するステップであって、信号送信指示情報が、端末（例えば、UE）に上りサブフレームの第1のシンボルでサウンディング参照信号SRSを送信するよう命令するのに使用され、かつ／または端末（例えば、UE）に上りサブフレームの第2のシンボル集合に含まれるシンボルでPUSCHを送信するよう命令するのに使用される、ステップと、
アクセス・ネットワーク・デバイスが、信号送信指示情報に基づいて上りサブフレームで端末によって送信されたSRSおよび／またはPUSCHを受信するステップと
を含む。
【手続補正１２】
【補正対象書類名】明細書
【補正対象項目名】００２６
【補正方法】変更
【補正の内容】
【００２６】
すべての可能な実施態様において、本方法は、
信号送信指示情報を使用してアクセス・ネットワーク・デバイスが、端末に、第1のシンボルおよび／もしくは第2のシンボル集合に含まれるシンボルを通知するステップ、または
アクセス・ネットワーク・デバイスが、端末のために第1のシンボルおよび／もしくは第2のシンボル集合に含まれるシンボルを事前構成するステップ
をさらに含む。
【手続補正１３】
【補正対象書類名】明細書
【補正対象項目名】００２７
【補正方法】変更
【補正の内容】
【００２７】
すべての可能な実施態様において、本方法は、
アクセス・ネットワーク・デバイスが、端末に第1の構成情報を送信するステップであって、第1の構成情報が、第1のシンボル集合および／もしくは候補シンボル集合グループの指示情報を含み、第1のシンボル集合が、第1のシンボルの少なくとも1つの候補シンボルを含み、候補シンボル集合グループが、第2のシンボル集合の少なくとも1つの候補シンボル集合を含む、ステップ
をさらに含む。
【手続補正１４】
【補正対象書類名】明細書
【補正対象項目名】００３４
【補正方法】変更
【補正の内容】
【００３４】
第3の態様によれば、本発明の一実施形態は端末を提供し、本端末は、
上りサブフレームのためにアクセス・ネットワーク・デバイスによって送信された信号送信指示情報を受信するように構成された受信モジュールであって、信号送信指示情報が、端末（例えば、UE）に上りサブフレームの第1のシンボルでサウンディング参照信号SRSを送信するよう命令するのに使用され、かつ／または端末に上りサブフレームの第2のシンボル集合に含まれるシンボルでPUSCHを送信するよう命令するのに使用される、受信モジュールと、
信号送信指示情報に基づいて上りサブフレームでSRSおよび／またはPUSCHを送信するように構成された、送信モジュールと
を含む。
【手続補正１５】
【補正対象書類名】明細書
【補正対象項目名】００３５
【補正方法】変更
【補正の内容】
【００３５】
すべての可能な実施態様において、第1のシンボルおよび／もしくは第2のシンボル集合に含まれるシンボルは、信号送信指示情報を使用してアクセス・ネットワーク・デバイスによって端末に送信され、または
第1のシンボルおよび／もしくは第2のシンボル集合に含まれるシンボルは、アクセス・ネットワーク・デバイスによって端末のために事前構成される。
【手続補正１６】
【補正対象書類名】明細書
【補正対象項目名】００４４
【補正方法】変更
【補正の内容】
【００４４】
第4の態様によれば、本発明の一実施形態はアクセス・ネットワーク・デバイスを提供し、本アクセス・ネットワーク・デバイスは、
上りサブフレームの信号送信指示情報を送信するように構成された送信モジュールであって、信号送信指示情報が、端末（例えば、UE）に上りサブフレームの第1のシンボルでサウンディング参照信号SRSを送信するよう命令するのに使用され、かつ／または端末（例えば、UE）に上りサブフレームの第2のシンボル集合に含まれるシンボルでPUSCHを送信するよう命令するのに使用される、送信モジュールと、
信号送信指示情報に基づいて上りサブフレームで端末によって送信されたSRSおよび／またはPUSCHを受信するように構成された、受信モジュールと
を含む。
【手続補正１７】
【補正対象書類名】明細書
【補正対象項目名】００４５
【補正方法】変更
【補正の内容】
【００４５】
すべての可能な実施態様において、アクセス・ネットワーク・デバイスは、処理モジュールをさらに含み、処理モジュールは、
信号送信指示情報を使用して、端末に、第1のシンボルおよび／もしくは第2のシンボル集合に含まれるシンボルを通知し、または
端末のために第1のシンボルおよび／もしくは第2のシンボル集合に含まれるシンボルを事前構成する
ように特に構成される。
【手続補正１８】
【補正対象書類名】明細書
【補正対象項目名】００４６
【補正方法】変更
【補正の内容】
【００４６】
すべての可能な実施態様において、送信モジュールは、
端末に第1の構成情報を送信し、第1の構成情報が、第1のシンボル集合および／もしくは候補シンボル集合グループの指示情報を含み、第1のシンボル集合が、第1のシンボルの少なくとも1つの候補シンボルを含み、候補シンボル集合グループが、第2のシンボル集合の少なくとも1つの候補シンボル集合を含む、
ようにさらに構成される。
【手続補正１９】
【補正対象書類名】明細書
【補正対象項目名】００５３
【補正方法】変更
【補正の内容】
【００５３】
第5の態様によれば、本発明の一実施形態はSRS伝送方法をさらに提供し、本方法は、
アクセス・ネットワーク・デバイスが、端末に上りサブフレームのSRS送信指示情報を送信するステップと、
アクセス・ネットワーク・デバイスが、SRS送信指示情報に基づいて上りサブフレームで端末の上り信号を受信するステップと
を含む。
【手続補正２０】
【補正対象書類名】明細書
【補正対象項目名】００５６
【補正方法】変更
【補正の内容】
【００５６】
すべての可能な実施態様において、SRS送信指示情報は、アクセス・ネットワーク・デバイスによって少なくとも2台の端末に送信される共通下り制御チャネル上の情報に属する。
【手続補正２１】
【補正対象書類名】明細書
【補正対象項目名】００５８
【補正方法】変更
【補正の内容】
【００５８】
第6の態様によれば、本発明の一実施形態はSRS伝送方法をさらに提供し、本方法は、
端末が、上りサブフレームのためにアクセス・ネットワーク・デバイスによって送信されたSRS送信指示情報を受信するステップと、
SRS送信指示情報に基づいて端末が、上りサブフレームでSRSを送信すべきかどうか判断するステップと
を含む。
【手続補正２２】
【補正対象書類名】明細書
【補正対象項目名】００６０
【補正方法】変更
【補正の内容】
【００６０】
第7の態様によれば、本発明の一実施形態はアクセス・ネットワーク・デバイスをさらに提供し、本アクセス・ネットワーク・デバイスは、
端末に上りサブフレームのSRS送信指示情報を送信するように構成された、送信モジュールと、
SRS送信指示情報に基づいて上りサブフレームで端末の上り信号を受信するように構成された、受信モジュールと
を含む。
【手続補正２３】
【補正対象書類名】明細書
【補正対象項目名】００６３
【補正方法】変更
【補正の内容】
【００６３】
すべての可能な実施態様において、SRS送信指示情報は、送信モジュールによって少なくとも2台の端末に送信される共通下り制御チャネル上の情報に属する。
【手続補正２４】
【補正対象書類名】明細書
【補正対象項目名】００６５
【補正方法】変更
【補正の内容】
【００６５】
第8の態様によれば、本発明の一実施形態は端末（例えば、UE）を提供し、本端末は、
上りサブフレームのためにアクセス・ネットワーク・デバイスによって送信されたSRS送信指示情報を受信するように構成された、受信モジュールと、
SRS送信指示情報に基づいて、上りサブフレームでSRSを送信すべきかどうか判断するように構成された、送信モジュールと
を含む。
【手続補正２５】
【補正対象書類名】明細書
【補正対象項目名】００６７
【補正方法】変更
【補正の内容】
【００６７】
第9の態様によれば、本発明の一実施形態は端末を提供する。本端末は、プロセッサと、メモリと、送受信機とを含む。送受信機は、プロセッサの制御下でデータを送受信するように構成され、メモリは、事前設定プログラムを格納し、プロセッサは、メモリに格納されたプログラムを読み取り、プログラムに従って、
送受信機を使用して、上りサブフレームのためにアクセス・ネットワーク・デバイスによって送信された信号送信指示情報を受信するプロセスであって、信号送信指示情報が、端末（例えば、UE）に上りサブフレームの第1のシンボルでサウンディング参照信号SRSを送信するよう命令するのに使用され、かつ／または端末に上りサブフレームの第2のシンボル集合に含まれるシンボルでPUSCHを送信するよう命令するのに使用される、プロセスと、
送受信機に、信号送信指示情報に基づいて上りサブフレームでSRSおよび／またはPUSCHを送信するよう命令するプロセスと
を行う。
【手続補正２６】
【補正対象書類名】明細書
【補正対象項目名】００６８
【補正方法】変更
【補正の内容】
【００６８】
すべての可能な実施態様において、第1のシンボルおよび／もしくは第2のシンボル集合に含まれるシンボルは、信号送信指示情報を使用してアクセス・ネットワーク・デバイスによって端末に送信され、または
第1のシンボルおよび／もしくは第2のシンボル集合に含まれるシンボルは、アクセス・ネットワーク・デバイスによって端末のために事前構成される。
【手続補正２７】
【補正対象書類名】明細書
【補正対象項目名】００７１
【補正方法】変更
【補正の内容】
【００７１】
第10の態様によれば、本発明の一実施形態は、アクセス・ネットワーク・デバイスをさらに提供し、本アクセス・ネットワーク・デバイスは、プロセッサと、メモリと送受信機とを含む。送受信機は、プロセッサの制御下でデータを送受信するように構成され、メモリは、事前設定プログラムを格納し、プロセッサは、メモリに格納されたプログラムを読み取り、プログラムに従って、
送受信機に、上りサブフレームの信号送信指示情報を送信するよう命令するプロセスであって、信号送信指示情報が、端末（例えば、UE）に上りサブフレームの第1のシンボルでサウンディング参照信号SRSを送信するよう命令するのに使用され、かつ／または端末（例えば、UE）に上りサブフレームの第2のシンボル集合に含まれるシンボルでPUSCHを送信するよう命令するのに使用される、プロセスと、
送受信機を使用して、信号送信指示情報に基づいて上りサブフレームで端末によって送信されたSRSおよび／またはPUSCHを受信するプロセスと
を行う。
【手続補正２８】
【補正対象書類名】明細書
【補正対象項目名】００７２
【補正方法】変更
【補正の内容】
【００７２】
1つの可能な実施態様において、プロセッサは、信号送信指示情報を使用して、端末に、第1のシンボルおよび／もしくは第2のシンボル集合に含まれるシンボルを通知し、または端末のために第1のシンボルおよび／もしくは第2のシンボル集合に含まれるシンボルを事前構成する。
【手続補正２９】
【補正対象書類名】明細書
【補正対象項目名】００７３
【補正方法】変更
【補正の内容】
【００７３】
1つの可能な実施態様において、プロセッサは、送受信機に、端末に第1の構成情報を送信するよう命令し、第1の構成情報が、第1のシンボル集合および／もしくは候補シンボル集合グループの指示情報を含み、第1のシンボル集合が、第1のシンボルの少なくとも1つの候補シンボルを含み、候補シンボル集合グループが、第2のシンボル集合の少なくとも1つの候補シンボル集合を含む、ようにさらに構成される。
【手続補正３０】
【補正対象書類名】明細書
【補正対象項目名】００７４
【補正方法】変更
【補正の内容】
【００７４】
第11の態様によれば、本発明の一実施形態は、アクセス・ネットワーク・デバイスを提供し、本アクセス・ネットワーク・デバイスは、プロセッサと、メモリと送受信機とを含む。送受信機は、プロセッサの制御下でデータを送受信するように構成され、メモリは、事前設定プログラムを格納し、プロセッサは、メモリに格納されたプログラムを読み取り、プログラムに従って、
送受信機に、端末に上りサブフレームのSRS送信指示情報を送信するよう命令するプロセスと、
SRS送信指示情報に基づいて、送受信機に、上りサブフレームで端末の上り信号を受信するよう命令するプロセスと
を行う。
【手続補正３１】
【補正対象書類名】明細書
【補正対象項目名】００７６
【補正方法】変更
【補正の内容】
【００７６】
以上の技術的解決策に基づき、本発明の実施形態においては、アクセス・ネットワーク・デバイスは、端末に、上りサブフレームの信号送信指示情報を通知し、信号送信指示情報を使用して、SRSおよび／またはPUSCHを送信するための上りサブフレームのシンボルを指示し、端末は、信号送信指示情報によって指示されたシンボルに基づいて上りサブフレームでSRSおよび／またはPUSCHを送信する。したがって、端末は、免許不要周波数リソースの上りサブフレームでSRSおよび／またはPUSCHを送信するように動的にスケジュールされ、端末がアクセス・ネットワーク・デバイスによって一元的にスケジュールされる免許不要周波数リソースでPUSCHを送信する前に、端末がチャネルのビジー／アイドル状態を検出するという要件が満たされ、異なる端末間でのSRSおよび／またはPUSCH送信の干渉を回避することができ、それによって、免許不要周波数リソースにおける上りデータの伝送効率が改善される。
【手続補正３２】
【補正対象書類名】明細書
【補正対象項目名】００９２
【補正方法】変更
【補正の内容】
【００９２】
第1の上りサブフレームの最後のシンボルを、UE2がチャネルのビジー／アイドル状態を検出するための時間として予約する必要がない場合、UE1は、第1の上りサブフレームでSRSを送信するために第1の上りサブフレームの最後のシンボルを占有しうる。アクセス・ネットワーク・デバイスは、UE1に第1の上りサブフレームの信号送信指示情報を送信し、信号送信指示情報に基づいて、UE1に、第1の上りサブフレームの最後のシンボルでSRSを送信するよう命令する。
【手続補正３３】
【補正対象書類名】明細書
【補正対象項目名】００９６
【補正方法】変更
【補正の内容】
【００９６】
本発明の本実施形態では、アクセス・ネットワーク・デバイスが、UE1を第1の上りサブフレームでPUSCHおよび／またはSRSを送信するようにスケジュールする必要があり、UE2を第1の上りサブフレームでSRSを送信するがPUSCHを送信しないようにスケジュールする必要がある場合、UE2を第1の上りサブフレームでSRSを送信するようにスケジュールする前に、アクセス・ネットワーク・デバイスは、UE2がSRSを送信する前にUE2がチャネルのビジー／アイドル状態を検出するために第1の上りサブフレーム内の時間を予約する必要がある。UE2が第1の上りサブフレームでSRSを送信する前にUE2がチャネルのビジー／アイドル状態を検出するために第1の上りサブフレームで時間が予約されるかどうかは、第1の上りサブフレームでPUSCHおよび／またはSRSを送信するためにUE1によって占有されるシンボルの長さおよび／または位置に影響を及ぼす。
【手続補正３４】
【補正対象書類名】明細書
【補正対象項目名】０１３５
【補正方法】変更
【補正の内容】
【０１３５】
あるいは、アクセス・ネットワーク・デバイスは、上りデータが送信される前に上りサブフレームでチャネルのビジー／アイドル状態を検出するために上りサブフレーム内の時間を予約する必要がある場合、第2のシンボル集合は、上りサブフレームの2番目のシンボルから最後のシンボルまで、すなわち、候補シンボル集合グループ内の第9の候補シンボル集合を含むと判断されうる。図6fに示すように、上りサブフレームの4番目のシンボルおよび最後から4番目シンボルはDMRSを送信するのに使用され、上りサブフレームの1番目のシンボルはCCA検出に使用される。
【国際調査報告】
2019506088.tif 000041
2019506088.tif 000042
2019506088.tif 000043
2019506088.tif 000044
2019506088.tif 000045